(57)【特許請求の範囲】
【請求項１】
制御装置で指定するパラメータを、カメラに対して伝送し、当該カメラの映像系のパラメータを設定するカメラのセットアップ方法であって、
上記カメラの映像系に関する複数の設定可能なパラメータに対応する、カメラ映像系パラメータ設定画像を表示するパラメータ設定画像表示ステップと、
上記カメラ映像系パラメータ設定画像が表示されているときに、入力が有るか否かを判断する入力判断ステップと、
上記入力判断ステップにおいて入力が有ると判断したときに、入力情報に対応する、上記カメラ映像系パラメータ設定画像の対応部分を変更するパラメータ設定画像変更ステップと、
上記入力情報に対応して上記カメラの映像系のパラメータの値を設定するパラメータ設定ステップと、
上記パラメータ設定ステップにおいて設定した上記カメラの映像系のパラメータデータ若しくは変化分を上記カメラに対して伝送し、上記カメラの映像系のパラメータの値を変更する制御ステップとからなり、
上記カメラ映像系パラメータ設定画像は、上記入力情報に応じて、上記カメラ映像系パラメータ設定画像上において移動若しくは変化するカメラ映像系パラメータ変更用スイッチ画像並びにカメラ映像系設定状態表示用画像を有し、
上記パラメータ設定画像変更ステップは、
上記カメラ映像系パラメータ変更用スイッチ画像において上記入力情報を入力している場合には、上記入力情報に応じて、上記カメラ映像系パラメータ変更用スイッチ画像の表示状態を変化させるパラメータ変更用スイッチ画像変更ステップと、
上記入力情報に応じて、上記カメラ映像系設定状態表示用画像を変化させる設定状態表示用画像変更ステップとを含み、
上記カメラ映像系設定状態表示用画像において上記入力情報を入力している場合には、上記入力情報に応じて、上記カメラ映像系設定状態表示用画像を変化させる設定状態表示用画像変更ステップと、
上記入力情報に応じて、上記カメラ映像系パラメータ変更用スイッチ画像の表示状態を変化させるパラメータ変更用スイッチ画像変更ステップとを含む
カメラのセットアップ方法。
【請求項２】
上記パラメータ設定ステップは、
設定した１若しくは複数の上記カメラの映像系のパラメータをファイルとして保存するファイル保存ステップを含み、
上記制御ステップは、ファイルとして保存されている全ての上記カメラの映像系のパラメータデータを、上記カメラに伝送し、上記カメラの映像系のパラメータの値を変更するファイル制御ステップとを含む請求項１記載のカメラのセットアップ方法。
【請求項３】
上記制御ステップは、上記カメラに伝送する上記カメラの映像系のパラメータデータに対し、少なくとも、上記カメラを示すカメラ識別データ、上記パラメータを変更することを示す制御データ、上記パラメータを示すパラメータ識別データを付加する付加ステップを含む請求項１記載のカメラのセットアップ方法。
【請求項４】
上記カメラにおける処理は、
上記制御装置からの伝送データを受信する受信ステップと、
受信したデータの通信プロトコルを変換するプロトコル変換ステップと、
通信プロトコルを変換した後のデータ中の上記パラメータ識別データにより変更すべきパラメータを認識するパラメータ認識ステップと、
上記パラメータ認識ステップにおける認識と、上記カメラの映像系のパラメータデータに基いて、自カメラの映像系のパラメータの値を変更するパラメータ変更ステップとを含む請求項３記載のカメラのセットアップ方法。
【請求項５】
上記制御装置及びカメラ間に伝送フォーマットを変換するデータ変換装置を設け、
上記データ変換装置における処理は、
上記制御装置からの伝送データを受信する受信ステップと、
受信したデータの通信プロトコルを変換するプロトコル変換ステップと、
通信プロトコルを変換した後のデータを、上記カメラに伝送する伝送ステップとを含む請求項１記載のカメラのセットアップ方法。
【請求項６】
上記カメラは、全ての信号処理機能を有するビデオカメラ、若しくはカメラ装置及び制御装置からなるカメラシステムである請求項１記載のカメラのセットアップ方法。
【請求項７】
制御装置で指定するパラメータを、カメラに対して伝送し、当該カメラの映像系のパラメータを設定するカメラのセットアップ方法であって、
上記制御装置における処理は、上記カメラの映像系に関する複数の設定可能なパラメータに対応する、入力情報に応じて表示状態が変化されるカメラ映像系パラメータ変更用スイッチ画像、並びにカメラ映像系設定状態表示用画像を含む、カメラ映像系パラメータ設定画像を表示するパラメータ設定画像表示ステップと、
上記カメラ映像系パラメータ設定画像が表示されているときに、入力が有るか否かを判断する入力判断ステップと、
上記カメラ映像系パラメータ変更用スイッチ画像において上記入力情報を入力している場合には、上記入力情報に応じて、上記カメラ映像系パラメータ変更用スイッチ画像の表示状態を変化させるパラメータ変更用スイッチ画像変更ステップと、
上記入力情報に応じて、上記カメラ映像系設定状態表示用画像を変化させる設定状態表示用画像変更ステップとを含み、
上記カメラ映像系設定状態表示用画像において上記入力情報を入力している場合には、上記入力情報に応じて、上記カメラ映像系設定状態表示用画像を変化させる設定状態表示用画像変更ステップと、
上記入力情報に応じて、上記カメラ映像系パラメータ変更用スイッチ画像の表示状態を変化させるパラメータ変更用スイッチ画像変更ステップとを含む
パラメータ設定画像変更ステップと、
上記入力情報に対応して上記カメラの映像系のパラメータの値を設定するパラメータ設定ステップと、
上記パラメータ設定ステップにおいて設定した上記カメラの映像系のパラメータデータ若しくは変化分を上記カメラに対して伝送し、上記カメラの映像系のパラメータの値を変更する制御ステップとを有し、
上記カメラにおける処理は、上記制御装置から伝送される上記カメラの映像系のパラメータデータに基いて、対応するカメラの映像系のパラメータの値を変更するパラメータ変更ステップを有するカメラのセットアップ方法。
【請求項８】
上記パラメータ設定ステップは、
設定した１若しくは複数の上記カメラの映像系のパラメータをファイルとして保存するファイル保存ステップを含み、
上記制御ステップは、ファイルとして保存されている全ての上記カメラの映像系のパラメータデータを、上記カメラに伝送し、上記カメラの映像系のパラメータの値を変更するファイル制御ステップとを含む請求項７記載のカメラのセットアップ方法。
【請求項９】
上記制御ステップは、上記カメラに伝送する上記カメラの映像系のパラメータデータに対し、少なくとも、上記カメラを示すカメラ識別データ、上記パラメータを変更することを示す制御データ、上記パラメータを示すパラメータ識別データを付加する付加ステップを含む請求項７記載のカメラのセットアップ方法。
【請求項１０】
上記カメラにおける処理は、
上記制御装置からの伝送データを受信する受信ステップと、
受信したデータの通信プロトコルを変換するプロトコル変換ステップと、
通信プロトコルを変換した後のデータ中の上記パラメータ識別データにより変更すべきパラメータを認識するパラメータ認識ステップと、
上記パラメータ認識ステップにおける認識と、上記カメラの映像系のパラメータデータに基いて、自カメラの映像系のパラメータの値を変更するパラメータ変更ステップとを含む請求項７記載のカメラのセットアップ方法。
【請求項１１】
上記制御装置及びカメラ間に伝送フォーマットを変換するデータ変換装置を設け、
上記データ変換装置における処理は、
上記制御装置からの伝送データを受信する受信ステップと、
受信したデータの通信プロトコルを変換するプロトコル変換ステップと、
通信プロトコルを変換した後のデータを、上記カメラに伝送する伝送ステップとを含む請求項７記載のカメラのセットアップ方法。
【請求項１２】
上記カメラは、全ての信号処理機能を有するビデオカメラ、若しくはカメラ装置及び制御装置からなるカメラシステムである請求項７記載のカメラのセットアップ方法。
【請求項１３】
カメラの映像系のパラメータを設定するための、カメラ映像系パラメータ変更用スイッチ画像データ並びにカメラ映像系設定状態表示用画像データからなるカメラ映像系パラメータ設定画像データを保持する保持手段と、
上記保持手段からカメラ映像系パラメータ設定画像データを読み出し、該読み出したカメラ映像系パラメータ設定画像を表示するための表示部と、
上記表示部において、上記カメラ映像系パラメータ変更用スイッチ画像、カメラ映像系設定状態表示用画像の表示状態、並びに設定対象となっている上記カメラの映像系のパラメータの値を変更するための入力手段と、
上記表示部に上記カメラ映像系パラメータ変更用スイッチ画像において上記入力情報を入力している場合には、上記入力手段による入力情報に応じて、上記カメラ映像系パラメータ変更用スイッチ画像の表示状態を変化させて、上記入力情報に応じて、上記カメラ映像系設定状態表示用画像を変化させ、
上記表示部に上記カメラ映像系設定状態表示用画像において上記入力情報を入力している場合には、上記入力手段による入力情報に応じて、上記カメラ映像系設定状態表示用画像を変化させて、上記入力情報に応じて、上記カメラ映像系パラメータ変更用スイッチ画像の表示状態を変化させると共に、
変更後の上記カメラの映像系のパラメータデータ若しくは変化分をカメラに伝送する制御装置と
からなるカメラのセットアップシステム。
【請求項１４】
上記入力手段は、
上記制御装置に対し、カメラ映像系パラメータ設定情報を与えるための、データ入力装置及びポインティングデバイス等の位置指定部であり、
上記制御装置は、
上記保持手段に保持しているカメラ映像系パラメータ設定画像データを読み出し、読み出したカメラ映像系パラメータ設定画像データを表示部に画像として表示する、パラメータ設定画像表示部と、
上記位置指定部からの入力情報に基いて、上記表示部の画像上に表示するポインタの位置を認識するための位置認識部と、
上記データ入力装置からの入力情報から入力値を認識する、入力値認識部と、
上記入力装置からの入力情報若しくは上記位置指定部からの入力情報に基いて上記カメラの映像系のパラメータデータを生成する、パラメータデータ生成部とからなる請求項１３記載のカメラのセットアップシステム。
【請求項１５】
上記制御装置は、
設定した１若しくは複数の上記カメラの映像系のパラメータをファイルとして保存し、ファイルとして保存されている全ての上記カメラの映像系のパラメータデータを、上記カメラに伝送し、上記カメラのパラメータの値を変更する請求項１３記載のカメラのセットアップシステム。
【請求項１６】
上記制御装置は、上記カメラに伝送する上記カメラの映像系のパラメータデータに対し、少なくとも、上記カメラを示すカメラ識別データ、上記パラメータを変更することを示す制御データ、上記パラメータを示すパラメータ識別データを付加する請求項１３記載のカメラのセットアップシステム。
【請求項１７】
上記カメラは、上記制御装置からの伝送データを受信し、受信したデータの通信プロトコルを変換し、通信プロトコルを変換した後のデータ中の上記パラメータ識別データにより変更すべきパラメータを認識し、上記認識と、上記カメラの映像系のパラメータデータに基いて、自カメラの映像系のパラメータの値を変更する請求項１６記載のカメラのセットアップシステム。
【請求項１８】
上記制御装置及びカメラ間に伝送フォーマットを変換するデータ変換装置を設け、
上記データ変換装置は、
上記制御装置からの伝送データを受信し、受信したデータの通信プロトコルを変換し、通信プロトコルを変換した後のデータを、上記カメラに伝送する請求項１３記載のカメラのセットアップシステム。
【請求項１９】
上記カメラは、全ての信号処理機能を有するビデオカメラ、若しくはカメラ装置及び制御装置からなるカメラシステムである請求項１３記載のカメラのセットアップシステム。
【請求項２０】
上記制御装置は、上記ビデオカメラ若しくはカメラ装置若しくは制御装置からの映像信号を、上記表示部に表示する表示手段を有する請求項１９記載のカメラのセットアップシステム。
【発明の詳細な説明】
【０００１】
【産業上の利用分野】
本発明は、例えば家庭用のビデオカメラ（カメラ一体型ＶＴＲを含む）のセットアップシステム、業務用のカメラシステムのセットアップシステム（例えば放送局内におけるカメラシステム等）等に適用して好適な電子機器のセットアップ方法及びそのシステムに関する。
【０００２】
【従来の技術】
例えば、ビデオカメラ等では、ホワイト、ブラック、ガンマ、ニー、ディテール等多くの設定すべきパラメータがある。これらのパラメータの設定方法としては、ビデオカメラ内部のボリウムを調整することにより行う方法と、ビデオカメラに登載されている液晶ディスプレイ上に表示される数字等のキャラクタデータを、インクリメント若しくはデクリメントボタンにより、インクリメント若しくはデクリメントすることにより行う方法が一般的である。
【０００３】
【発明が解決しようとする課題】
ところで、ビデオカメラのように設定すべきパラメータの多い電子機器において、上述したような方法によってパラメータの設定を行うことは、効率の面から見て得策とは言えない。また、例えば放送局で用いられるビデオカメラ等のように、出力映像に対して厳しい条件が設定されている場合においては、設定したパラメータが、意図した、或いは、設定されている条件をクリアしているか否かを確認するためには、基準画像を撮影し、その画像を見て判断するしかなかった。よって、パラメータをより効率良く、より確実、且つ、正確に設定することのできるセットアップ方法が望まれていた。
【０００４】
本発明はこのような点を考慮してなされたもので、パラメータをより効率良く、より確実、且つ、正確に設定することのできる電子機器のセットアップ方法及びそのシステムを提案しようとするものである。
【０００５】
【課題を解決するための手段】
本発明のカメラのセットアップ方法は、制御装置で指定するパラメータを、カメラに対して伝送し、当該カメラの映像系のパラメータを設定するカメラのセットアップ方法であって、上記カメラの映像系に関する複数の設定可能なパラメータに対応する、カメラ映像系パラメータ設定画像を表示するパラメータ設定画像表示ステップと、上記カメラ映像系パラメータ設定画像が表示されているときに、入力が有るか否かを判断する入力判断ステップと、上記入力判断ステップにおいて入力が有ると判断したときに、入力情報に対応する、上記カメラ映像系パラメータ設定画像の対応部分を変更するパラメータ設定画像変更ステップと、上記入力情報に対応して上記カメラの映像系のパラメータの値を設定するパラメータ設定ステップと、上記パラメータ設定ステップにおいて設定した上記カメラの映像系のパラメータデータ若しくは変化分を上記カメラに対して伝送し、上記カメラの映像系のパラメータの値を変更する制御ステップとからなり、上記カメラ映像系パラメータ設定画像は、上記入力情報に応じて、上記カメラ映像系パラメータ設定画像上において移動若しくは変化するカメラ映像系パラメータ変更用スイッチ画像並びにカメラ映像系設定状態表示用画像を有し、上記パラメータ設定画像変更ステップは、上記カメラ映像系パラメータ変更用スイッチ画像において上記入力情報を入力している場合には、上記入力情報に応じて、上記カメラ映像系パラメータ変更用スイッチ画像の表示状態を変化させるパラメータ変更用スイッチ画像変更ステップと、上記入力情報に応じて、上記カメラ映像系設定状態表示用画像を変化させる設定状態表示用画像変更ステップとを含み、上記カメラ映像系設定状態表示用画像において上記入力情報を入力している場合には、上記入力情報に応じて、上記カメラ映像系設定状態表示用画像を変化させる設定状態表示用画像変更ステップと、上記入力情報に応じて、上記カメラ映像系パラメータ変更用スイッチ画像の表示状態を変化させるパラメータ変更用スイッチ画像変更ステップとを含むものである。
【０００６】
また、本発明のカメラのセットアップシステムは、カメラの映像系のパラメータを設定するための、カメラ映像系パラメータ変更用スイッチ画像データ並びにカメラ映像系設定状態表示用画像データからなるカメラ映像系パラメータ設定画像データを保持する保持手段と、上記保持手段からカメラ映像系パラメータ設定画像データを読み出し、該読み出したカメラ映像系パラメータ設定画像を表示するための表示部と、上記表示部において、上記カメラ映像系パラメータ変更用スイッチ画像、カメラ映像系設定状態表示用画像の表示状態、並びに設定対象となっている上記カメラの映像系のパラメータの値を変更するための入力手段と、上記表示部に上記カメラ映像系パラメータ変更用スイッチ画像において上記入力情報を入力している場合には、上記入力手段による入力情報に応じて、上記カメラ映像系パラメータ変更用スイッチ画像の表示状態を変化させて、上記入力情報に応じて、上記カメラ映像系設定状態表示用画像を変化させ、上記表示部に上記カメラ映像系設定状態表示用画像において上記入力情報を入力している場合には、上記入力手段による入力情報に応じて、上記カメラ映像系設定状態表示用画像を変化させて、上記入力情報に応じて、上記カメラ映像系パラメータ変更用スイッチ画像の表示状態を変化させると共に、変更後の上記カメラの映像系のパラメータデータ若しくは変化分をカメラに伝送する制御装置とからなるものである。
【０００７】
【作用】
上述せる本発明によれば、入力情報に応じて、パラメータ変更用スイッチ画像の表示状態を変化させ、上記入力情報に応じて、設定状態表示用画像を変化させ、更に、パラメータデータを変更し、変更後のパラメータ若しくは変化分を、被制御装置に伝送し、被制御装置のセットアップを行う。
【０００８】
入力手段による入力情報に応じて、表示手段に表示されているパラメータ変更用スイッチ画像の表示状態、及び設定状態表示用画像の表示状態、上記パラメータの値を夫々変更すると共に、変更後のパラメータデータ若しくは変化分を被制御装置に伝送し、被制御装置のセットアップを行う。
【０００９】
【実施例】
以下に、図１〜図８７を順次参照して本発明電子機器のセットアップ方法及びそのシステムの一実施例について詳細に説明する。
【００１０】
本発明電子機器のセットアップ方法及びそのシステムの一実施例の説明は、次に示す項目説明を各項目の先頭に記載し、各項目について次に示す順序で説明する。
【００１１】
＊本発明の概要
Ａ．電子機器のセットアップシステムの構成及びその動作説明（図１参照）
Ｂ．電子機器のセットアップシステムの動作（図２参照）
＊実施例
Ｃ．カメラセットアップシステムの構成及びその動作の説明（図３参照）
Ｄ．図３に示したコンピュータの構成の説明（図４参照）
Ｅ．図４に示したコンピュータのメインルーチンによる制御動作の説明（図５参照）Ｆ．図４に示したコンピュータのオペレーティングシステムの初期画面の説明
（図６参照）
Ｇ．図４に示したコンピュータのカメラセットアップシステム起動時の接続構成ウインドウの一例の説明（図７参照）
Ｈ．カメラセットアップシステムのパラメータアイコンウインドウの一例の説明（図８参照）
Ｉ．カメラセットアップシステムのメインメニューのプルダウンメニューの一例の説明（図９参照）
Ｊ．カメラセットアップシステムのカメラ用のプルダウンメニューの一例の説明（図１０及び図１１参照）
Ｋ．コンピュータのカメラセットアップシステムの制御器用のプルダウンメニューの一例の説明（図１２参照）
Ｌ．カメラセットアップシステムのパラメータ設定画像の基本的な説明（図１３参照）
Ｍ．カメラセットアップシステムによるメイン処理の動作説明（図１４〜図１６参照）
Ｎ．カメラセットアップシステムによるセットアップ処理の動作説明（図１７及び図１８参照）
Ｏ．カメラセットアップシステムのスイッチによる変更処理の動作説明（図１９参照）
Ｐ．カメラセットアップシステムのスライドレバーによる変更処理の動作説明（図２０参照）
Ｑ．カメラセットアップシステムの数値による変更処理の動作説明（図２１参照）
Ｒ．カメラセットアップシステムの波形による変更処理の動作説明（図２２参照）
Ｓ．カメラセットアップシステムにおいて用いられる伝送用のデータフォーマット及び各種ファイルフォーマットの説明（図２３参照）
Ｔ．図３に示したデータ変換器の構成の説明（図２４参照）
Ｕ．図２４に示したデータ変換器の制御動作の説明（図２５〜図２７参照）
Ｖ．図３に示したカメラの映像系の構成の説明（図２８参照）
Ｗ．図３に示したカメラの音声系の構成の説明（図２９参照）
Ｘ．カメラセットアップシステムにおけるパラメータ設定画像の表示例の説明（図３０〜図８７参照）
【００１２】
［本発明の概要］
【００１３】
Ａ．電子機器のセットアップシステムの構成及びその動作説明（図１参照）
【００１４】
図１は、本発明の概要を説明するための、電子機器のセットアップシステムのシステム構成図である。
【００１５】
〔接続及び構成〕
この図に示す電子機器のセットアップシステムは、被制御装置１３のパラメータを設定するための制御装置１と、被制御装置１３のパラメータを設定する際に用いられる、パラメータ設定画像を表示するための表示部６と、上記パラメータ設定画像データを保持するための外部記憶装置８と、上記制御装置１に対し、パラメータを設定するためのデータを入力するデータ入力部１０と、上記制御装置１に対し、上記パラメータ設定画像上におけるポインタの位置を指定するための位置指定部１１と、上記制御装置１からのパラメータデータの通信プロトコルを、被制御装置１３で受信可能な通信プロトコルに変換するためのプロトコル変換装置１２と、このプロトコル変換装置１２を介して制御装置１から伝送されるパラメータデータにより、自己のパラメータを自動設定する被制御装置とで構成される。
【００１６】
ここで、上記制御装置は、パラメータ設定画像を表示部６に表示するためのパラメータ設定画像表示部２と、データ入力部１０からの入力データの示す入力値を認識する、入力値認識部３と、上記位置指定部１１からの位置データの示す、上記表示部６の表示面上に表示されている、上記パラメータ設定画像上における、ポインタの位置を認識する、位置認識部４と、上記データ入力部１０若しくは上記位置指定部１１からの入力データに基いて、上記表示部６の表示面上に表示されているパラメータ設定画像の示すパラメータデータを生成、変更する、パラメータデータ生成部５とからなる。
【００１７】
また、上記パラメータ設定画像７は、図の右側に示すように、パラメータ設定による設定状態表示用画像群７ａと、パラメータ変更用スイッチ画像群７ｂとからなる。設定状態表示用画像群７ａは、被制御装置１３のパラメータに対応したグラフィック図形（例えば表、グラフ等）画像であり、パラメータ変更用スイッチ画像群７ｂは、視覚的なスイッチ画像である。
【００１８】
ここで重要なことは、２つの動作モードが存在することである。１つのモードは、パラメータ変更用スイッチ画像群７ｂの表示状態を、上記データ入力部１０や上記位置指定部１１により変化させたときに、パラメータの値やパラメータ設定による設定状態表示用画像群７ａの表示状態を変化させるモードである。
【００１９】
即ち、上記データ入力部１０によるデータの入力や、上記位置指定部１１による位置データの入力により、上記表示部６の表示面上に表示されているパラメータ変更用スイッチ画像群７ｂが、本物のスイッチやレバーがオペレータによって動かされているかのように、上記入力データや位置データに対応して変化し、上記パラメータデータ生成部５により、対応するパラメータデータが生成若しくは変更され、上記パラメータ設定による設定状態表示用画像群の表示状態が変化する。
【００２０】
もう１つのモードは、パラメータ設定による設定状態表示用画像群７ａの表示状態を、上記データ入力部１０や上記位置指定部１１により変化させたときに、パラメータの値やパラメータ変更用スイッチ画像群７ｂの表示状態を変化させるモードである。
【００２１】
即ち、上記データ入力部１０によるデータの入力や、上記位置指定部１１による位置データの入力により、上記表示部６の表示面上に表示されているパラメータ設定による設定状態表示用画像群７ａが、上記入力データや、上記位置データに対応して変化し、上記パラメータデータ生成部５により、対応するパラメータデータが生成若しくは変更され、上記パラメータ変更用スイッチ画像群７ａの表示状態が変化する。即ち、上記データ入力部１０による入力データや、上記位置指定部１１による位置データは、図に示すように、パラメータ設定情報として用いられる。
【００２２】
また、上記プロトコル変換装置１２は、図に示すように、破線で示されている。破線で示されているのは、このプロトコル変換装置１２によるプロトコル変換処理を、被制御装置１３で行う場合、必要がなくなるからである。逆を言えば、被制御装置１３が、プロトコル変換処理を行うことのできない機器の場合にのみ、上記プロトコル変換装置１３が必要となるのである。
【００２３】
尚、説明の便宜上、パラメータを選択するための画像データの図示を省略する。パラメータ選択画像は、被制御装置１３の多数のパラメータの内、どのパラメータの設定を行うのかを選択するための画像であり、外部記憶装置８に保持されている。
【００２４】
〔動作〕
データ入力部１０若しくは位置指定部１１により、被制御装置１３のパラメータが選択されると、制御装置１は、そのパラメータに対応したパラメータ設定画像データ９を、図中、実線の矢印Ｙ１で示すように、外部記憶装置８から読み出し、読み出したパラメータ設定画像データ９を、図中、実線の矢印Ｙ２で示すように、表示部６に供給する。表示部６は、制御装置１から供給されたパラメータ設定画像データ９を、画像として、表示面上に表示する。
【００２５】
続いて、図中、実線の矢印Ｙ３で示すように、データ入力部１０を介してデータの入力が有ると、入力値認識部４が、入力されたデータの値を認識し、また、位置指定部１１を介して位置データの入力が有ると、位置認識部３が、入力された位置データに対応する、上記パラメータ設定画像７上におけるポインタの位置を認識する。
【００２６】
上記位置認識部３や入力値認識部４の認識により、上記パラメータ設定画像表示部２は、表示部６の表示面上に表示するパラメータ設定画像データ９の対応データ、即ち、パラメータ設定による設定状態表示用画像群７ａやパラメータ変更用スイッチ画像群７ｂのデータを随時変更し、変更後のパラメータ設定画像データ９を、図中、実線の矢印Ｙ２で示すように、表示部６に供給する。これにより、表示部６の表示面上に表示されているパラメータ設定による設定状態表示用画像群７ａやパラメータ変更用スイッチ画像群７ｂの表示状態が変更される。
【００２７】
一方、上記パラメータデータ生成部５は、上記位置認識部３や入力値認識部４の認識に基いて、パラメータデータを生成若しくは変更し、生成若しくは変更後のパラメータデータを、図中、実線の矢印Ｙ４で示すように、プロトコル変換装置１２に供給する。
【００２８】
プロトコル変換装置１２は、制御装置１からのパラメータデータを、被制御装置１３が受信することのできる、通信プロトコルに変換する。プロトコル変換装置１２において通信プロトコルの変換されたパラメータデータは、図中、実線の矢印Ｙ５で示されるように、被制御装置１３に供給される。被制御装置１３は、プロトコル変換装置１２を介して制御装置１から供給されたパラメータデータを用いて、対応する自己のパラメータの値を変更する。
【００２９】
Ｂ．電子機器のセットアップシステムの動作（図２参照）
【００３０】
図２は、図１に示した電子機器のセットアップシステムにおける動作を説明するためのフローチャートであり、ステップＳａ１〜Ｓａ８は、図１に示した制御装置１における処理を示し、ステップＳｂ１〜Ｓｂ１１は、図１に示したプロトコル変換装置１２における処理を示し、ステップＳｃ１〜Ｓｃ１３は、図１に示した被制御装置１３における処理を示している。また、上記各ステップの符号中の数字は、処理順序に対応するように、値の大きい数字程、処理が後であることを示している。
【００３１】
〔制御装置における処理〕
ステップＳａ１では、図１に示したパラメータ設定画像表示部２が、外部記憶装置８に記憶されているパラメータ選択画像データを読み出し、読み出したパラメータ選択画像データを表示部６に供給する。これにより、表示部６の表示面上には、被制御装置１３の多数のパラメータの内の１若しくは複数のパラメータを選択するための、パラメータ選択画像が表示される。そしてステップＳａ２に移行する。
【００３２】
ステップＳａ２では、図１に示した位置認識部３や入力値認識部４が、データ入力部１０や位置指定部１１を介して、パラメータ設定情報の入力が有るか否かを判断し、「ＹＥＳ」であればステップＳａ３に移行する。
【００３３】
ステップＳａ３では、図１に示したパラメータ設定画像表示部２が、位置認識部３や入力値認識部４の認識に基いて、選択されたパラメータに対応する、パラメータ設定画像データ９を、外部記憶装置８から読み出し、読み出したパラメータ設定画像データ９を、表示部６に供給する。表示部６は、制御装置１からのパラメータ設定画像データ９を、表示面上に画像として表示する。そしてステップＳａ４に移行する。
【００３４】
ステップＳａ４では、図１に示した位置認識部３や入力値認識部４が、データ入力部１０や位置指定部１１を介して、パラメータ設定情報の入力が有るか否かを判断し、「ＹＥＳ」であればステップＳａ５に移行する。
【００３５】
ステップＳａ５では、図１に示したパラメータデータ生成部５が、位置認識部３や入力値認識部４の認識に基いて、パラメータデータを生成若しくは変更する。そしてステップＳａ７に移行する。
【００３６】
ステップＳａ７では、図１に示した位置認識部３や入力値認識部４が、データ入力部１０や位置指定部１１を介して、パラメータ設定情報の入力が終了を示すものか否かを判断し、「ＹＥＳ」であれば終了する。
【００３７】
〔プロトコル変換装置における処理〕
ステップＳｂ１では、図１に示したプロトコル変換装置１２が、待機状態を保持する。そしてステップＳｂ２に移行する。
【００３８】
ステップＳｂ２では、図１に示したプロトコル変換装置１２が、制御装置１からの、パラメータデータの送信が有るか否かを判断し、「ＹＥＳ」であればステップＳｂ９に移行し、「ＮＯ」であれば再びステップＳｂ１に移行する。
【００３９】
ステップＳｂ９では、図１に示したプロトコル変換装置１２が、制御装置１から送信されるパラメータデータを受信する。そしてステップＳｂ１０に移行する。既に説明したが、ステップを示す符号中の数字が、“２”から“９”に変わるのは、処理順序を示すためである。制御装置１の処理ステップＳａ７による処理が行われた後に、このステップＳｂ９による処理が開始されるからである。
【００４０】
ステップＳｂ１０では、図１に示したプロトコル変換装置１２が、ステップＳｂ３において受信したパラメータデータの通信プロトコルを変換する。そしてステップＳｂ１１に移行する。
【００４１】
ステップＳｂ１１では、図１に示したプロトコル変換装置１２が、プロトコル変換処理を施したパラメータデータを、被制御装置１３に伝送する。そして再びステップＳｂ１に移行する。
【００４２】
〔被制御装置における処理〕
ステップＳｃ１では、図１に示した被制御装置１３が、待機状態を保持する。そしてステップＳｃ２に移行する。
【００４３】
ステップＳｃ２では、図１に示した被制御装置１３が、図１に示したプロトコル変換装置１２から、パラメータデータの送信が有るか否かを判断し、「ＹＥＳ」であればステップＳｃ１２に移行する。
【００４４】
ステップＳｃ１２では、図１に示した被制御装置１３が、プロトコル変換装置１２からのパラメータデータを受信する。そしてステップＳｃ１３に移行する。既に説明したが、ステップを示す符号中の数字が、“２”から“１２”に変わるのは、処理順序を示すためである。プロトコル変換装置１２の処理ステップＳｂ１１による処理が行われた後に、このステップＳｃ１２による処理が開始されるからである。
【００４５】
ステップＳｃ１３では、図１に示した被制御装置１３が、受信したパラメータデータに基いて、対応する回路のパラメータの値を変更する。そして再びステップＳｃ１に移行する。
【００４６】
〔概要説明から導き出される効果〕
以上の説明から明かなように、制御装置１により、被制御装置１３のパラメータを設定する際、パラメータ変更用スイッチ画像群７ｂの表示状態を、上記データ入力部１０や上記位置指定部１１により変化させたときに、パラメータの値やパラメータ設定による設定状態表示用画像群７ａの表示状態を変化させるモード、若しくは、パラメータ設定による設定状態表示用画像群７ａの表示状態を、上記データ入力部１０や上記位置指定部１１により変化させたときに、パラメータの値やパラメータ変更用スイッチ画像群７ｂの表示状態を変化させるモードにより、グラフィカルな環境で被制御装置１３のパラメータを変更できるようにしたので、パラメータの設定環境をより向上させることができると共に、誤ったパラメータの変更を防止でき、更に、変更後のパラメータの確認をも行うことができるという効果がある。以下、より具体的な例について説明する。
【００４７】
［実施例］
【００４８】
Ｃ．カメラセットアップシステムの構成及びその動作の説明（図３参照）
【００４９】
図３は、図１に示した電子機器のセットアップシステムを、カメラセットアップシステムに適用した例を示すシステム構成図である。
【００５０】
〔接続及び構成〕
この図３に示すカメラセットアップシステムは、パラメータ設定画像５１及びモニタ画像５２を表示するためのディスプレイ５０と、コンピュータ１００と、キーボード２５０と、ポインティングデバイス３００と、上記パラメータ設定画像のデータやプログラムデータを記憶するためのディスクドライブ３５０と、コンピュータ１００から送信されるデータのプロトコルを変換するためのデータ変換器４００と、データ変換器４００から出力されるデータを、多数の制御器１２００−１、・・・・１２００−ｎ（図示せず）及びこれら多数の制御器１２００−１、・・・・１２００−ｎに夫々接続されているカメラ１０００に選択的に供給するシステム制御器１１００と、多数の制御器１２００−１、・・・・１２００−ｎと、これら多数の制御器１２００−１、・・・・１２００−ｎに夫々接続されているカメラ１０００とで構成される。尚、カメラ１０００は１つのみ示す。
【００５１】
そして、上記コンピュータ１００及び上記ディスクドライブ３５０間、上記コンピュータ１００及び上記データ変換器４００間、上記コンピュータ１００及び上記カメラ１０００間は、上記データ変換器４００及びシステム制御器１１００間、上記システム制御器１１００及び上記制御器１２００−１、・・・・１２００−ｎ間は、夫々ケーブルＣＡ１、ＣＡ２、ＣＡ３、ＣＡ４及びＣＡ５で接続されている。
【００５２】
ここで、上記パラメータ設定画像５１は、図１に示したパラメータ設定画像７に対応し、上記ディスプレイ５０は、図１に示した表示部６に対応し、上記コンピュータ１００は、図１に示した制御装置１に対応し、上記キーボード２５０は、図１に示したデータ入力部１０に対応し、上記ポインティングデバイス３００は、図１に示した位置指定部に対応し、上記ディスクドライブ３５０は、図１に示した外部記憶装置８に対応し、上記データ変換器４００は、図１に示したプロトコル変換装置１２に対応し、上記制御器１２００−１、・・・・１２００−ｎ及び上記カメラ１０００は、図１に示した被制御装置１３に対応する。
【００５３】
ここで、上記データ変換器４００は、図１におけるプロトコル変換装置１２と同様、制御器１２００−１、・・・・１２００−ｎ若しくはカメラ１０００に、プロトコル変換処理の機能を持たせた場合には不要となる。
【００５４】
また、上記制御器１２００−１、・・・・１２００−ｎは、一般のＣＣＵ（Ｃａｍｅｒａ  Ｃｏｎｔｒｏｌ  Ｕｎｉｔ：カメラ・コントロール・ユニット）と称されるものであり、カメラ１０００の制御及びカメラ１０００によって得られる映像や音声信号の信号処理の一部を受け持つものである。
【００５５】
従って、注意を要することは、図３に示した制御器１２００−１、・・・・１２００−ｎ及びカメラ１０００からなるカメラシステムは、例えば家庭用のカメラ一体型ＶＴＲ等のように、単体で使用するものではない。放送局等では、このような理由から、図３に示すようなカメラ１０００を、ＣＨＵ（Ｃａｍｅｒａ
Ｈｅａｄ  Ｕｎｉｔ：カメラ・ヘッド・ユニット）と称している。
【００５６】
図３においては、カメラセットアップシステムの一例として、ＣＣＵ及びＣＨＵからなるカメラシステムを用いた例を示している。しかしながら、これは一例であり、単体で使用するビデオカメラについても用いることができる。この場合においては、図３に示すシステム制御器１１００や制御器１２００−１、・・・・１２００−ｎは不要となる。
【００５７】
また、上記ポインティングデバイス３００は、例えば、デジタイザ、マウス、トラックボール、カーソルキー、ジョイスティック等である。
【００５８】
また、上記カメラ１０００は、内部には、映像系５００と、音声系６００を有し、外部には、ＬＣＤ（Ｌｉｑｕｉｄ  Ｃｒｉｓｔａｌ  Ｄｉｓｐｌａｙ）７００、操作キー群７５０、レンズ部８００及びマイクロフォン８５０を有する。
【００５９】
また、上記ディスクドライブ３５０は、現状では、アクセス速度の面から考えると、ハードディスクドライブが好ましい、勿論、記録再生の可能な光ディスクを媒体とする、アクセス速度の速い光ディスクドライブや、他の磁気ディスクドライブを用いることも可能である。
【００６０】
また、上記モニタ画像５２は、上記カメラ１０００からの撮像映像信号が、上記ディスプレイ５０の表示面上に表示されたものである。
【００６１】
〔動作〕
パラメータが選択されると、コンピュータ１００の制御により、ディスクドライブ３５０に記憶されているパラメータ設定画像データが読み出される。ディスクドライブ３５０から読み出されたパラメータ設定画像データは、ケーブルＣＡ１及びコンピュータ１００を介してディスプレイ５０に供給され、ディスプレイ５０の表示面上にパラメータ設定画像５１として表示される。
【００６２】
キーボード２５０若しくはポインティングデバイス３００の操作により、パラメータ設定画像５１上においてパラメータの変更が指示されると、コンピュータ１００は、キーボード２５０やポインティングデバイス３００の操作情報に基いて、パラメータデータ及びパラメータ設定画像５１の対応箇所の表示状態を変化させる。
【００６３】
コンピュータ１００は、変化させたパラメータデータ（絶対値データ）、若しくは変化分を示すデータ（相対値データ）を、ケーブルＣＡ２を介して、データ変換器４００に伝送する。データ変換器４００に伝送されたパラメータデータ若しくは変化分を示すデータは、プロトコル変換処理が施された後に、システム制御器１１００に供給され、このシステム制御器１１００により、制御器１２００−１、・・・・若しくは１２００−ｎ、またはカメラ１０００に供給される。
【００６４】
尚、システム制御器１１００が、パラメータデータを送信すべき、制御器１２００−１、・・・・１２００−ｎ、カメラ１０００を、どのようにして認識するのかについては、後に図２３を参照して説明するデータの伝送フォーマットで明らかにする。ここでは、システム全体の大まかな流れについて説明する。
【００６５】
パラメータデータによる、制御器１２００−１、・・・・１２００−ｎやカメラ１０００のパラメータの設定が行われている間、カメラ１０００からの出力映像信号がコンピュータ１００に供給される。勿論、制御器１２００−１、・・・・１２００−ｎの出力映像信号を、コンピュータ１００に供給する場合も有り得る。
【００６６】
カメラ１０００からの出力映像信号は、コンピュータ１００に一旦取り込まれた後に、ディスプレイ５０に供給され、ディスプレイ５０の表示面上に、モニタ画像として表示される。
【００６７】
以下、図３に示した主要な構成について個別に内部構成や動作について説明する。
【００６８】
Ｄ．図３に示したコンピュータの構成の説明（図４参照）
【００６９】
図４は、図３に示したコンピュータ１００の内部構成例を示す構成図である。
【００７０】
〔接続及び構成〕
この図に示すコンピュータ１００は、ＣＰＵ１０１にアドレス、データ及びコントロールバスからなるバス１０２が接続され、このバス１０２に、入出力ポート１０６が接続され、この入出力ポート１０６に、基本入出力システム等の記憶されたＲＯＭ１０３、ワーク用のＲＡＭ１０４、表示用のビデオ画像を保持するためのＶＲＡＭ（ビデオ・ランダム・アクセス・メモリ）１０５、フロッピーディスクインターフェース回路１０８及びフロッピーディスクドライブ１０７、ＩＣカードインターフェース回路１１０及びカードスロット１０９、ポインティングデバイスインターフェース回路１１１及び図３に示したポインティングデバイス３００に接続される入出力端子１１２、キーボードインターフェース回路１１３及び図３に示したキーボード２５０に接続される入出力端子１１４、ＣＰＵ１０１に代わって画像表示制御を行う画像表示用アクセラレータ及び図３に示したディスプレイ５０に接続される出力端子１１６、映像信号を取り込むためのビデオキャプチャ回路１１７及び図３に示したカメラ１０００若しくは制御器１２００−１、・・・・１２００−ｎに接続される入力端子１１６、通信用のインターフェース回路１１９及び図３に示したデータ変換器４００に接続される入出力端子１２０、ＳＣＳＩ（Ｓｍａｌｌ  Ｃｏｍｐｕｔｅｒ  Ｓｙｓｔｅｍｓ  Ｉｎｔｅｒｆａｃｅ）インターフェース回路１２１及び図３に示したディスクドライブ３５０に接続される入出力端子１２２、オーディオ入出力回路１２３及び図３に示したカメラ１０００若しくは制御器１２００−１、・・・・１２００−ｎに接続される入力端子１２５が接続されて構成される。また、上記オーディオ入出力回路１２３には、スピーカ１２４が接続される。
【００７１】
ここで、上記インターフェース回路１１９は、例えばＲＳ−２３２ＣインターフェースやＲＳ−４２２インターフェースが用いられる。また、上記画像表示用アクセラレータ１１５は、少なくとも、図３に示したディスプレイ５０上に、例えば１２８０×１０２４ドット、１６７７万色で、画像を表示することのできる能力を有する。
【００７２】
コンピュータ１００に電源が投入されると、ＲＯＭ１０３に記憶されている基本入出力制御システム（ＢＩＯＳ：Ｂａｓｉｃ  Ｉｎｐｕｔ  Ｏｕｔｐｕｔ  Ｓｙｓｔｅｍ）１２６が、ＣＰＵ１０１によって読み出され、続いて、図３に示したディスクドライブ３５０から、オペレーティングシステムのプログラムデータが、ＣＰＵ１０１によって読み出され、更にドライバのプログラムデータが読み出される。
【００７３】
そして、このオペレーティングシステムの表示画面上において、後述するカメラセットアップシステムが選択されると、図３に示したディスクドライブ３５０から、カメラセットアップシステムのプログラムデータが、ＣＰＵ１０１によってが読み出される。図中において、一点鎖線で示す枠内に示されるブロックは、上記基本入出力制御システム、上記オペレーティングシステム、上記ドライバ及び上記カメラセットアップシステムが、上記ＣＰＵ１０１のメインメモリ上に常駐することにより、上記ＣＰＵ１０１が有することのできる機能を示すものである。
【００７４】
基本入出力制御システム１２６は、図３に示したキーボード２５０からの入力データの受付及び認識、図３に示したポインティングデバイス３００からの位置データの受付及び認識、図３に示したディスプレイ５０への表示等の基本的な入出力の制御を行う。通常はＲＯＭ１０３上に変換テーブルとして記憶されているが、この例では、ＣＰＵ１０１のメインメモリ上に常駐するものとする。
【００７５】
ＩＣカードドライバ１２７は、カードスロット１０９にセットされるＩＣカードを、コンピュータ１００で使用することができるようにするものである。アクセラレータドライバ１２８は、コンピュータ１００及び画像表示用アクセラレータ１１５間のデータの伝送を行えるようにするものである。ビデオキャプチャドライバ１３０は、ビデオキャプチャ回路１１７及びコンピュータ１００間のデータの伝送を行えるようにするものである。オーディオドライバ１３１は、オーディオ入出力回路１２３及びコンピュータ１００間のデータの伝送を行えるようにするものである。
【００７６】
オペレーティングシステム１２９は、ファイルデータの管理、ディスクドライブ３５０の制御等を行う他、グラフィカルなユーザーインターフェースを実現するものでが好ましい。例えば、マイクロソフト社の提供するＭＳ−ＷＩＮＤＯＷＳ、アップル社の提供するＳＹＳＹＴＥＭ７．５、ＩＢＭ社が提供するＯＳ／２等である。若しくは、グラフィカルなユーザーインターフェースを持たないオペレーティングシステムにあっては、上記カメラセットアップシステムによりこれを実現しても良い。
【００７７】
指示解析手段１３２、コマンド解析手段１３３、表示制御手段１３４、パラメータ制御手段１３８、コマンド発行手段１３９及びファイル管理手段１４０は、カメラセットアップシステムが有する手段である。
【００７８】
指示解析手段１３２は、ポインティングデバイスインターフェース回路１１１やキーボードインターフェース回路１１３からの入力データにより、指示内容を解析する機能を有する。
【００７９】
コマンド解析手段１３２は、インターフェース回路１１９からの入力データ中のコマンドの内容を解析する機能を有する。
【００８０】
表示制御手段１３４は、上記指示解析手段１３２において解析された指示内容に従って、ＶＲＡＭ１０５の内容を変更する機能を有する。
【００８１】
パラメータ制御手段１３８は、上記指示解析手段１３２において解析された指示内容に従って、パラメータデータを変更する機能を有する。
【００８２】
コマンド発行手段１３９は、上記インターフェース回路１１９及び入出力端子１２０を介して、図３に示した制御器１２００−１、・・・・１２００−ｎやカメラ１０００にパラメータデータ若しくは変化分を示すデータ等を伝送する機能の他、コマンドを発行する機能を有する。
【００８３】
ファイル管理手段１４０は、図３に示した制御器１２００−１、・・・・１２００−ｎやカメラ１０００毎に、これらのパラメータデータを、ファイルとして保持、管理する機能を有する。
【００８４】
演算手段１４１は、上記指示解析手段において解析された指示内容に従って、パラメータデータの変更時や表示内容を変更するための演算等を行う機能を有する。
【００８５】
尚、動作説明は、図６〜図２３を参照して詳述する。
【００８６】
Ｅ．図４に示したコンピュータのメインルーチンによる制御動作の説明（図５参
照）
【００８７】
図５は、図４に示したコンピュータのメインルーチンによる制御動作を説明するためのフローチャートである。この制御動作は、図４に示したコンピュータ１００に対して電源が投入されることによって開始される。
【００８８】
ステップＳ１０１では、図４に示したＲＯＭ１０３に記憶されている初期化用のプログラムが読み出され、このプログラムにより、ＣＰＵ１０１が、接続機器のチェックを行う。そしてステップＳ１０２に移行する。
【００８９】
ステップＳ１０２では、図４に示したＣＰＵ１０１が、ＲＡＭ１０４やＶＲＡＭ１０５の初期化を行う。そしてステップＳ１０３に移行する。
【００９０】
ステップＳ１０３では、図４に示した基本入出力システム１２６が起動される。そしてステップＳ１０４に移行する。
【００９１】
ステップＳ１０４では、図４に示した基本入出力システム１２６が、図３に示したディスクドライブ３５０に記憶されているオペレーティングシステム１２９のプログラムデータを読み出すことにより、オペレーティングシステム１２９を起動する。そしてステップＳ１０５に移行する。
【００９２】
ステップＳ１０５では、図４に示したオペレーティングシステム１２９が、図３に示したディスクドライブ３５０に記憶されているＩＣカードドライバ１２７、アクセラレータドライバ１２８、ビデオキャプチャ１３０及びオーディオドライバ１３１のプログラムデータを読み出すことにより、各ドライバ１２７、１２８、１３０及び１３１を起動する。そしてステップＳ１０６に移行する。
【００９３】
ステップＳ１０６では、図４に示したオペレーティングシステム１２９が、カメラセットアップシステムの確認を行う。そしてステップＳ１０７に移行する。ここで、「確認」とは、オペレーティングシステム１２６に登録されているプログラムデータに関係する情報を、オペレーティングシステム１２６の持つファイルから読み取ることを意味する。例えば、カメラセットアップシステムが起動プログラムとして登録されていることや、カメラセットアップシステムのアイコン等の情報等である。
【００９４】
ステップＳ１０７では、図４に示したオペレーティングシステム１２９が、オペレーティングシステム１２９の画像データを、ＶＲＡＭ１０５に書き込む。ＶＲＡＭ１０５に書き込まれたオペレーティングシステム１２９の画像データは、画像表示用アクセラレータ１１５及び出力端子１１６を介して、図３に示したディスプレイ５０に供給される。そしてステップＳ１０８に移行する。
【００９５】
オペレーティングシステム１２９に対し、カメラセットアップシステムが登録されている場合には、カメラセットアップシステムを示すアイコンも表示される。
【００９６】
ステップＳ１０８では、図４に示したオペレーティングシステム１２９が、カメラセットアップシステムが選択されたか否かを判断し、「ＹＥＳ」であればステップＳ１５０に移行し、「ＮＯ」であればステップＳ１０９に移行する。
【００９７】
ここで言う、「選択」は、図３に示したディスプレイ５０の表示面上に表示された上記オペレーティングシステム１２９の画像上のカメラセットアップシステムのアイコンの位置に、上記ポインティングデバイス３００のポインタ画像が重ねられ、この後、ポインティングデバイス３００が、オペレータによってダブルクリックされることを意味する。また、ここで言う「ダブルクリック」は、ポインティングデバイス３００のボタンが、連続して２回押圧されることを意味する。
【００９８】
ステップＳ１５０では、カメラセットアップシステムによる処理が実行される。そしてステップＳ１０９に移行する。
【００９９】
ステップＳ１０９では、図４に示したオペレーティングシステム１２９が、カメラセットアップシステムのセットアッププログラムが終了されたか否かを判断し、「ＹＥＳ」であればステップＳ１１０に移行し、「ＮＯ」であれば再びステップＳ１５０に移行する。
【０１００】
ステップＳ１１０では、図４に示したオペレーティングシステム１２９が、終了か否かを判断し、「ＹＥＳ」であればステップＳ１１１に移行し、「ＮＯ」であれば再びステップＳ１０７に移行する。
【０１０１】
ステップＳ１１１では、図４に示したオペレーティングシステム１２９が、ＣＰＵ１０１のメインメモリ上における常駐状態を解除することにより、オペレーティングシステム１２９を終了する。
【０１０２】
Ｆ．図４に示したコンピュータのオペレーティングシステムの初期画面の説明（図６参照）
【０１０３】
図６Ａは、上述したオペレーティングシステム１２９による最も階層が上のウインドウ画像Ｗａについて説明するための説明図、図６Ｂは、カメラセットアップシステムの起動の仕方を説明するための説明図である。
【０１０４】
図６Ａにおいて、最も階層が上のウインドウ画像Ｗａは、システムのプルダウンメニューを表示させるためのボタン画像ＣＢ、ウインドウ画像Ｗａをアイコン化するためのボタン画像ＩＢ、ウインドウ画像Ｗａを大きくするためのボタン画像ＥＢと、オペレーティングシステム１２９に対し、各種指示を行うためのメニューバーＭＢａ及びカメラセットアップシステムのアイコンＩＣａ他いくつかのアイコン画像からなる。
【０１０５】
ここで、上記メニューバーＭＢａの各メニュー内容である、「アイコン」、「オプション」、「ウインドウ」、「ヘルプ」等の文字画像は、選択されたときに、プルダウンメニュー形式で、関連するコマンドを表示するためのものである。選択の仕方は、図３に示したキーボード２５０の特定のキーを押圧した後、キーボードのカーソルキーを用いて行う方法の他、ポインティングデバイス３００を動かして、ポインタＰｏを、上記文字の内、所望の文字の位置に合わせた後にクリックし、これによって表示されるプルダウンメニューの所望のコマンドを選択したクリックする方法がある。
【０１０６】
以下、ウインドウに付する符号の内、英小文字は、ａが最も階層が高いことを意味し、以下、ｂ、ｃ、ｄ、・・・と順に低い階層となることを意味する。また、ウインドウ画像には、必ず、上記ボタン画像ＣＢ、ＩＢ及びＥＢが含まれるので、以下の説明では、符号のみ付し、説明を省略する。
【０１０７】
図６Ａに示すウインドウ画像Ｗａ上において、ポインティングデバイス３００によりポインタＰｏを移動させ、ポインタＰｏを、「カメラセットアップ」という文字が付されているアイコンＩＣａに重ね、この後、ポインティングデバイス３００のボタンを、１回クリックすると、図６Ｂに示すように、１つ下の階層のウインドウ画像Ｗｂがディスプレイ５０上に表示される。
【０１０８】
そして、この図６Ｂに示すウインドウ画像Ｗｂ上において、ポインティングデバイス３００によりポインタＰｏを移動させ、ポインタＰｏを、「カメラセットアップ」という文字の付されているアイコンＩＣａに重ね、この後、ポインティングデバイス３００のボタンを、ダブルクリックすると、カメラセットアップシステムが実行される。
【０１０９】
Ｇ．図４に示したコンピュータのカメラセットアップシステム起動時の接続構成ウインドウの一例の説明（図７参照）
【０１１０】
図７は、カメラセットアップシステムの起動時の接続構成ウインドウの一例を示す説明図である。
【０１１１】
図７は、カメラセットアップシステムが起動されたときの、接続構成ウインドウの一例を示す説明図であり、この図７に示すウインドウ画像Ｗｃは、最後にカメラセットアップシステムが起動されたときに生成されている接続構成の情報からなるファイルが読み込まれることにより、表示することができるものである。
【０１１２】
この図７に示すように、このウインドウ画像Ｗｃは、カメラのアイコン画像Ｃａ１〜Ｃａ６と、これらのカメラのアイコン画像Ｃａ１〜Ｃａ６に夫々接続されるＣＣＵのアイコン画像Ｃｕ１〜Ｃｕ６と、これらのＣＣＵのアイコン画像Ｃｕ１〜Ｃｕ６に接続されるＣＮＵ（Ｃａｍｅｒａ  Ｎｅｔｗｏｒｋ  Ｕｎｉｔ：カメラ・ネットワーク・ユニット）のアイコン画像Ｖｎ１と、ＶＣＳ（ＶｉｄｅｏＣａｍｅｒａ  Ｓｅｌｅｃｔｏｒ：ビデオ・カメラ・セレクタ）のアイコン画像Ｖｃ１と、「ＦＩＬＥ（ファイル）」、「ＥＤＩＴ（エディット）」、ＳＥＴＵＰ（セットアップ）」及び「ＨＥＬＰ（ヘルプ）」の文字の表示されたメニューバーＭＢｃを有する。
【０１１３】
このウインドウ画像Ｗｃは、６台のカメラと、これら６台のカメラに夫々接続されている６台のＣＣＵと、これら６台のＣＣＵに接続されているＣＮＵと、このＣＮＵに接続されているＶＣＳからなるカメラシステムが、セットアップの対象であることを示している。後述するが、この接続状態は、カメラセットアップシステムの起動時に、カメラセットアップシステムにより確認されているものである。そして、パラメータのセットアップ対象となるのは、カメラのアイコン画像Ｃａ１〜Ｃａ６及びＣＣＵのアイコン画像Ｃｕ１〜Ｃｕ６の内１つである。
【０１１４】
所望のカメラ若しくはＣＣＵのパラメータの設定をするためには、上述したポインタＰｏを、ポインティングデバイス３００を操作することにより、パラメータを設定したいカメラ若しくはＣＣＵのアイコン画像Ｃａ１〜Ｃａ６若しくはＣｕ１〜Ｃｕ６に重ね、この後、ポインティングデバイス３００のボタンを、１回、クリックすれば良い。ポインティングデバイス３００のボタンを、１回クリックすることにより、選択されたカメラ若しくはＣＣＵのアイコン画像Ｃａ１〜Ｃａ６若しくはＣｕ１〜Ｃｕ６は、例えば色が付加される等、選択されていることを示す表示状態となる。図７においては、カメラのアイコン画像Ｃａ４が選択されている。
【０１１５】
尚、ＣＮＵは、図３に示したシステム制御器１１００に対応する。また、ＶＣＳは、ＣＮＵを介して供給される６系統の映像信号を、選択的に出力するためのものである。
【０１１６】
Ｈ．カメラセットアップシステムのパラメータアイコンウインドウの一例の説明（図８参照）
【０１１７】
図８は、図７に示した接続構成ウインドウＷｃ上において、カメラのアイコン画像Ｃａ１〜Ｃａ６が、ポインティングデバイス３００のボタンの１回のクリックにより選択された後、更にポインティングデバイス３００のボタンが１回クリックされた場合、若しくは、ポインタＰｏがカメラのアイコン画像Ｃａ１〜Ｃａ６に重ねられた状態でダブルクリックされた場合に表示されるウインドウ画像Ｗｄを示す説明図である。
【０１１８】
このウインドウ画像Ｗｄでは、カメラのパラメータの内、セットアップ可能なパラメータを、アイコン画像として示している。各アイコン画像が示すパラメータのセットアップ処理は、ポインティングデバイス３００の操作により、ポインタＰｏを、各アイコン画像に重ね、この後、ポインティングデバイス３００のボタンを、ダブルクリックすることにより、開始することができる。
【０１１９】
以下、各アイコン画像の示すパラメータについて説明する。
【０１２０】
＊Ｓｈｕｔｔｅｒ（シャッタ）
電子シャッタのシャッタスピードを調整するためのパラメータである。調整モードとしては、ステップ切り換えのシャッタモードと、垂直解像度を調整するモードにおける調整モードがある。
＊Ｆｉｌｔｅｒ（フィルタ）
照明の色温度や明るさによって適正な被写界深度を得るために、ＮＤフィルタやＣＣフィルタを適切なフィルタに調整するためのパラメータである。
＊Ｂａｒｓ／Ｔｅｓｔ（バーズ／テスト）
カメラからのテスト信号の出力やカラーバーの出力の設定用のパラメータである。
＊Ａｕｔｏ  Ｓｅｔｕｐ（オート・セットアップ）
ホワイト・バランス、ブラック・バランス、ホワイト・シェーディング、ブラック・シェーディング、マスター・ブラック・レベル、ガンマ・レベル、ニー・レベル等の自動調整を制御するためのパラメータである。
＊Ｉｒｉｓ
レンズのアイリス・ポジション（絞り値）の調整用のパラメータである。
＊Ｍ  Ｂｌａｃｋ（マスター・ブラック）
映像出力信号の黒レベルの調整用のパラメータである。
＊Ｍ  Ｇａｉｎ（マスター・ゲイン）
被写体の照度に応じて映像出力のマスター・ゲイン（利得）を調整するためのパラメータである。
＊Ｋｎｅｅ  ＳＡＴ（ニー・サテュレーション）
映像信号中の輝度成分のみのレベルの圧縮の制御用のパラメータである。
＊Ｍ  Ｖ  ＭＯＤ（マスター・Ｖ・モデュレーション・ソー）
原色信号の同時調整による垂直方向モジュレーション・シェーディングの調整用のパラメータである。
＊Ｋｎｅｅ（ニー）
カメラにおける入力信号のレベルが一定の値を越えたときの、入力信号の高輝度部分のレベル圧縮の制御用のパラメータである。
＊Ｗ  Ｃｌｉｐ（ホワイト・クリップ）
映像信号の白レベルのピークレベルに対しての制限の調整用のパラメータである。
＊Ｄｅｔａｉｌ  Ｌｅｖｅｌ（ディテール・レベル）
映像信号の輪郭強調のための補正信号の補正量の調整用のパラメータである。
＊Ｈ／Ｌ  Ｒａｔｉｏ（Ｈ／Ｌ  レシオ）
水平及び垂直方向のディテール・レベルの割合の調整、並びにディテールのブースト周波数の調整用のパラメータである。
＊Ｍｉｘ  Ｒａｔｉｏ（ミックス・レシオ）
輪郭強調のための補正信号のガンマ補正前とガンマ補正後の混合比の調整用のパラメータである。
＊Ｍｉｘ  Ｒａｔｉｏ（ミックス・レシオ）
輪郭強調のための補正信号を生成するための元になる信号の混合比の調整用のパラメータである。
＊Ｓｌｉｍ  Ｄｅｔａｉｌ（スリム・ディテール）
輪郭強調のための補正信号による、輪郭の太さの調整用のパラメータである。
＊Ｓｌａｎｔ  Ｄｅｔａｉｌ（スラント・ディテール）
輪郭強調のための補正信号による、斜め方向の輪郭の調整用のパラメータである。
＊Ｈ  Ｌｉｍｉｔｔｅｒ（Ｈリミッタ）
水平方向の輪郭強調のための補正信号について、映像信号の白側及び黒側のレベルに対してのレベルを抑制するためのリミッタが働くレベルの調整用のパラメータである。
＊Ｖ  Ｌｉｍｉｔｔｅｒ（Ｖリミッタ）
垂直方向の輪郭強調のための補正信号について、映像信号の白側及び黒側のレベルに対してのレベルを抑制するためのリミッタが働くレベルの調整用のパラメータである。
＊Ｋｎｅｅ  Ａｐｔ（ニー・アパーチャ）
入力信号のレベルが一定の値を越えたときの、入力信号の高輝度部分のレベルの圧縮を制御するレベル以上の映像信号に対する、輪郭強調のための補正信号による補正量の調整用のパラメータである。
＊Ｌｅｖｅｌ  Ｄｅｐ（レベル・ディペンド）
ニー・ポイント以上の信号に対する輪郭強調のための補正信号のレベルの調整用のパラメータである。
＊Ｃｒｉｓｐｅｎｉｎｇ（クリスペニング）
映像信号のノイズ部分の輪郭を除去するために、輪郭強調のための補正信号のレベルを調整用するためのパラメータである。
＊Ｄｅｔａｉｌ  Ａｒｉａ（ディテール・エリア）
輪郭強調のための補正信号により補正される画面上における範囲及びその利得の調整用のパラメータである。
＊Ｓｋｉｎ  Ｔｏｎｅ（スキン・トーン）
映像信号の、特定の色相、彩度の被写体の輪郭強調のための補正信号のレベルの調整用のパラメータである。
＊Ｂｌａｃｋ（ブラック）
原色信号の各チャンネルの黒のバランスを決定するために、原色信号間の黒レベルを調整するためのパラメータである。
＊Ｗｈｉｔｅ（ホワイト）
原色信号の各チャンネルの白のバランスを決定するために、原色信号間の白レベルを調整するためのパラメータである。
＊Ｂｌａｃｋ  ｓｅｔ（ブラック・セット）
原色信号の各チャンネルの基準となる黒レベルを一定とするための調整用のパラメータである。
＊Ｆｌａｒｅ（フレア）
原色信号の各チャンネルのフレアバランスの調整用のパラメータである。
＊Ｂ  ＳＨ  Ｈ（ブラック・シェーディング・Ｈ）
原色信号の各チャンネルに対して行う、水平方向のブラック・シェーディングの調整用のパラメータである。
＊Ｂ  ＳＨ  Ｖ（ブラック・シェーディング・Ｖ）
原色信号の各チャンネルに対して行う、垂直方向のブラック・シェーディングの調整用のパラメータである。
＊Ｗ  ＳＨ  Ｈ（ホワイト・シェーディング・Ｈ）
原色信号の各チャンネルに対して行う、水平方向のホワイト・シェーディングの調整用のパラメータである。
＊Ｗ  ＳＨ  Ｖ（ホワイト・シェーディング・Ｖ）
原色信号の各チャンネルに対して行う、垂直方向のホワイト・シェーディングの調整用のパラメータである。
＊Ｖ  ＭＯＤ  ＳＨ（Ｖ・モジュレーション・シェーディング）
原色信号の各チャンネルに対して行う、垂直方向のモジュレーションシェーディングの調整用のパラメータである。
＊Ｍａｔｒｉｘ（マトリクス）
原色信号の基本色を補正し、最適な色調を得るための調整用のパラメータである。
＊Ｇａｍｍａ（ガンマ）
テレビジョンのブラウン管の持つ、電気から光に変換されるときの非線形特性を補正するためのガンマ補正の調整用のパラメータである。
＊Ｂｌａｃｋ  Ｇａｍｍａ（ブラック・ガンマ）
黒レベルの付近の諧調特性を向上させるための、ブラック・ガンマの調整用のパラメータである。
＊Ｔｒａｎｓｍｉｔ（トランスミット）
カメラ及びＣＣＵ間の伝送方式の選択用のパラメータである。
＊Ｍｉｃ／Ｌｉｎｅ（マイクロフォン／ライン）
カメラ対し、音声信号を、マイクロフォンで入力するか、ラインで入力するかを選択するためのパラメータである。
＊Ｍａｔｒｉｘ  Ｍｉｘ（マトリクス・ミックス）
カメラに対して入力される外部音声信号の混合信号の設定及び混合比を設定するためのパラメータである。
＊Ｍａｔｒｉｘ  Ｏｕｔｐｕｔ（マトリクス・アウトプット）
上記カメラにおけるプログラム信号の選択及び外部音声信号の出力レベルを調整するためのパラメータである。
＊Ｉｎｃｏｍ（インカム）
カメラに対して入力される外部音声信号の設定用のパラメータである。
＊Ｔｒａｃｋｅｒ（トラッカー）
カメラに対して入力される外部音声信号について設定するためのパラメータである。
＊Ｅｘｔ  Ｃｏｍｍａｎｄ（エクスターナル・コマンド）
カメラに対し、外部から供給されるコマンドに対する応答のオン、オフを設定するためのパラメータである。
【０１２１】
Ｉ．カメラセットアップシステムのメインメニューのプルダウンメニューの一
例の説明（図９参照）
【０１２２】
図９は、図７に示したウインドウ画像Ｗｃや、図８に示したウインドウ画像Ｗｄの、メニューバーＭＢｃやＭＢｄの「ＦＩＬＥ」、「ＥＤＩＴ」、「ＳＥＴＵＰ」、「ＨＥＬＰ」にポインタＰｏを重ね、この後、ポンティングデバイスのボタンをクリックしたときに、表示されるプルダウンメニューの例を示す説明図である。
【０１２３】
図９Ａは、「ＦＩＬＥ」を選択した場合に表示されるプルダウンメニューであり、この図に示すように、「ＦＩＬＥ」を選択したときに選択可能なコマンドは、以下の通りである。
【０１２４】
＊Ｕｐｌｏａｄ（アップ・ロード）
接続されているカメラやＣＣＵから全てのパラメータデータを読み込むためのコマンドである。
＊Ｄｏｗｎｌｏａｄ（ダウン・ロード）
接続されているカメラやＣＣＵに対して全てのパラメータデータを設定するためのコマンドである。
＊Ｌｏａｄ（ロード）
図４に示したフロッピーディスクドライブ１０７にセットされているフロッピーディスク、図３に示したディスクドライブ３５０、若しくは図４に示したカードスロット１０９にセットされているＩＣカードから、ファイルとして記録されている全てのパラメータデータを読み込むコマンドである。
＊Ｓａｖｅ（セーブ）
図４に示したフロッピーディスクドライブ１０７にセットされているフロッピーディスク、図３に示したディスクドライブ３５０、若しくは図４に示したカードスロット１０９にセットされているＩＣカードに対し、パラメータデータをファイルとしてセーブするためのコマンドである。
＊Ｓａｖｅ  Ａｓ（セーブ・アズ）
一旦読み込んだファイルを、別名で保存するためのコマンドである。
＊Ｐａｇｅ  ｓｅｔｕｐ（ページ・セットアップ）
＊Ｐｒｉｎｔ（プリント）
ファイルデータ等をプリンタによる印刷するためのコマンドである。
＊ＥＸＩＴ（イクジット）
このプルダウンメニューの選択モードを解除するためのコマンドである。
【０１２５】
以上のコマンドは、上記コマンドの文字に対して、ポインタＰｏを、ポンティングデバイス３００のボタンを押したまま重ね、この後、ボタンを離すことによって選択できる。プルダウンメニューに関しては、全てこの方法によりコマンド若しくは項目若しくはパラメータの選択を行う。
【０１２６】
図９Ｂは、「Ｅｄｉｔ」を選択した場合に表示されるプルダウンメニューであり、この図に示すように、「Ｅｄｉｔ」を選択したときに選択可能なコマンドは、以下の通りである。
【０１２７】
＊Ｕｎｄｏ（アンドゥ）
一旦与えたコマンドによる処理を１つ前の状態に戻すためのコマンドである。＊Ｃｕｔ（カット）
指定した領域の画像データを切りとるためのコマンドである。
＊Ｃｏｐｙ（コピー）指定したデータ若しくは画像データをコピーするためのコマンドである。
＊Ｐａｓｔｅ（ペースト）
指定したデータ若しくは画像データを所望の位置に挿入するためのコマンドである。
【０１２８】
図９Ｃは、「ＳＥＴＵＰ」を選択した場合に表示されるプルダウンメニューであり、この図に示すように、「ＳＥＴＵＰ」を選択したときに選択可能なコマンドは、以下の通りである。
【０１２９】
＊ＵＳＥＲ  Ｄｅｆｉｎｅｄ１〜４（ユーザー・ディファインド１〜４）
ユーザが設定した、ウインドウ内の制御用のコマンドを呼び出し、呼び出したコマンドにより処理を行うためのコマンドである。
＊Ｏｐｅｒａｔｉｏｎ  Ｓｔａｔｕｓ（オペレーション・ステータス）
＊Ｖｉｄｅｏ  Ｌｅｖｅｌ（ビデオ・レベル）
＊Ｃｏｌｏｒ（カラー）
＊Ｄｅｔａｉｌ（ディテール）
＊Ａｕｄｉｏ（オーディオ）
以上の５つのコマンドは、更に下の階層のプルダウンメニューを有する。
＊Ｍｅｍｏｒｙ  Ａｃｃｅｓｓ（メモリ・アクセス）
カメラ若しくはＣＣＵのメモリに対するアクセスを行うためのコマンドである。
＊Ｆｉｌｅ  Ｅｄｉｏ（ファイル・エディット）
読み出したパラメータデータのファイルデータを、エディットするためのコマンドである。
【０１３０】
図９Ｄは、「Ｍｅｍｏｒｙ  Ａｃｃｅｓｓ」を選択した場合に表示されるプルダウンメニューであり、この図に示すように、「Ｍｅｍｏｒｙ  Ａｃｃｅｓｓ」を選択したときに選択可能なコマンドは、以下の通りである。
【０１３１】
＊ＣＣＵ（カメラ・コントロール・ユニット）
このコマンドは、図に示すようなプルダウンメニューを有する。
【０１３２】
図９Ｅは、図９Ｄに示したプルダウンメニューにおいて、「ＣＨＵ（カメラ・コントロール・ユニット）」を選択した場合に表示されるプルダウンメニューである。
【０１３３】
図９Ｆは、「ＨＥＬＰ」を選択した場合に表示されるプルダウンメニューである。ＨＥＬＰは、カメラセットアップシステムに関する様々な情報を表示するためのメニューである。
【０１３４】
Ｊ．カメラセットアップシステムのカメラ用のプルダウンメニューの一例の説明（図１０及び図１１参照）
【０１３５】
図１０Ａ、図１０Ｂ、図１０Ｃ、図１１Ａ及び図１１Ｂは、図７に示したウインドウ画像Ｗｃにおいて、カメラを選択した後、夫々図９Ｃに示した「ＳＥＴＵＰ」の選択時に表示されるプルダウンメニューの内の、「ＯｐｅｒａｔｉｏｎＳｔａｔｕｓ」、「Ｖｉｄｅｏ  Ｌｅｖｅｌ」、「Ｃｏｌｏｒ」、「Ａｕｄｉｏ」及び「Ｄｅｔａｉｌ」が夫々選択されたときに夫々表示されるプルダウンメニューを夫々示す説明図である。これらのプルダウンメニューの各パラメータの選択による処理は、図８に示したアイコン画像の選択による処理と同じものであり、表示形態が異なるだけである。よって、詳細については、図８に対する説明を参照されたい。
【０１３６】
Ｋ．コンピュータのカメラセットアップシステムの制御器用のプルダウンメニューの一例の説明（図１２参照）
【０１３７】
図１２Ａ、図１２Ｂ、図１２Ｃ及び図１２Ｄは、図７に示したウインドウ画像Ｗｃにおいて、ＣＣＵを選択した後、夫々図９Ｃに示した「ＳＥＴＵＰ」の選択時に表示されるプルダウンメニューの内の、「Ｏｐｅｒａｔｉｏｎ  Ｓｔａｔｕｓ」、「Ｖｉｄｅｏ  Ｌｅｖｅｌ」、「Ａｕｄｉｏ」及び「Ｄｅｔａｉｌ」が夫々選択されたときに夫々表示されるプルダウンメニューを夫々示す説明図である。これらのプルダウンメニューの各項目の選択による処理は、図示は省略するが、図１０と同様のアイコン画像の選択による処理もある。
【０１３８】
図１０Ａは、「Ｏｐｅｒａｔｉｏｎ  Ｓｔａｔｕｓ」を選択した場合に表示されるプルダウンメニューであり、この図に示すように、「ＯｐｅｒａｔｉｏｎＳｔａｔｕｓ」を選択したときに選択可能なパラメータは、以下の通りである。
【０１３９】
＊Ｃａｍ  Ｐｏｗｅｒ（カメラ・パワー）
カメラへの電源の供給のオン、オフを設定するためのパラメータである。
＊Ｂａｒｓ（バーズ）
ＣＣＵからのカラーバーの出力について設定するためのパラメータである。
＊Ｈ／ＳＣ  Ｐｈａｓｅ（Ｈ／ＳＣ  フェーズ）
水平同期信号及び副搬送波信号の位相調整を行うためのパラメータである。
＊ＳｅｑＶ  Ｒｅｓｅｔ（シーケンシャル・Ｖ・リセット）
波形モニタやピクチャ・モニタへのシーケンシャル出力モードのときのリセットタイミングを調整するためのパラメータである。
＊Ｓｋｉｎ  Ｇａｔｅ（スキン・ゲート）
ピクチャ・モニタに表示されるスキン・ディテールの有効なエリア表示について制御を行うためのパラメータである。
＊Ｐｒｏｍｐｔ（プロンプタ）
プロンプタについての設定を行うためのパラメータである。
＊Ｒｅｔｕｒｎ（リターン）
リターン信号について設定を行うためのパラメータである。
＊Ｐｉｘ  Ｍｏｎｉｔｏｒ（ピクチャ・モニタ）
ピクチャモニタへの出力信号について設定するためのパラメータである。
＊ＷＦ  Ｍｏｎｉｔｏｒ（ウエーブ・フォーム・モニタ）
波形モニタへの出力信号について設定するためのパラメータである。
【０１４０】
図１０Ｂは、「Ｖｉｄｅｏ  Ｌｅｖｅｌ」を選択した場合に表示されるプルダウンメニューであり、この図に示すように、「Ｖｉｄｅｏ  Ｌｅｖｅｌ」を選択したときに選択可能なパラメータは、以下の通りである。
【０１４１】
＊ＥＮＣ  ｏｕｔ（エンコーダ・アウト）
ＣＣＵから出力するコンポジット信号の調整用のパラメータである。
＊Ｃａｍｅｒａ  Ｏｕｔ（カメラ・アウト）
カメラからの入力信号に対するレベル調整用のパラメータである。
＊Ｃｏｎｐｏｎｅｎｔ  Ｏｕｔ（コンポーネント・アウト）
ＣＣＵから出力されるコンポーネント信号の調整用のパラメータである。
＊ＶＢＳ  Ｌｅｖｅｌ（ＶＢＳレベル）
カラーコレクタのオプション基板でのＶＢＳ信号についての調整を行うためのパラメータである。
＊Ｙ  Ｃｏｍｂ
【０１４２】
図１０Ｃは、「Ｃｏｌｏｒ」を選択した場合に表示されるプルダウンメニューであり、この図に示すように、「Ｃｏｌｏｒ」を選択したときに選択可能なパラメータは、以下の通りである。
【０１４３】
＊Ｃｏｌｏｒ  Ｓｗｉｔｃｈ（カラー・スイッチ）
色に関するオン、オフの設定用のパラメータである
＊Ｃｏｎｔｒａｓｔ／Ｓａｔｕｒａｔｉｏｎ（コントラスト／サテュレーション）
ＣＣＵから出力される信号の色レベル、輝度成分のリニアリティを調整するためのパラメータである。
＊Ｎｏｔｃｈ（ノッチ）
映像信号から、ある特定の周波数の信号を取り除く処理について設定するためのパラメータである。
＊ＥＤＴＶ
ＥＤＴＶに関する項目についての調整を行うためのパラメータである。
＊Ｍｏｎｏ  Ｃｏｌｏｒ（モノ・カラー）
ＣＣＵから出力される輝度信号に、単一色相のクロマ信号をミックスさせるモノカラーの機能について、色相を調整するためのパラメータである。
＊Ｃｏｌｏｒ  Ｃｏｒｒｅｃｔ（カラー・コレクタ）
特定の色相を補正することのできるカラーコレクタについて、補正の条件を調整するためのパラメータである。
＊Ａｕｔｏ  Ｃｏｌｏｒ  Ｍａｔｃｈｉｎｇ（オート・カラー・マッチング）
【０１４４】
図１０Ｄは、「Ａｕｄｉｏ  Ｌｅｖｅｌ」を選択した場合に表示されるプルダウンメニューであり、この図に示すように、「Ａｕｄｉｏ  Ｌｅｖｅｌ」を選択したときに選択可能なパラメータは、以下の通りである。
【０１４５】
＊Ｔｒａｎｓｍｉｔ（トランスミット）
カメラ及びＣＣＵ間の伝送方式を選択するためのパラメータである。
＊Ｍｉｃ／Ｉｎｃｏｍ（マイクロフォン／インカム）
マイクロフォン及び外部音声入力についての設定を行うためのパラメータである。
＊Ｍａｔｒｉｘ（マトリクス）
外部音声入力の混合信号の設定と混合比の設定を行うためのパラメータである。
＊Ｅｘｔ  ｃｏｍｍａｎｄ（エクスターナル・コマンド）
外部とのコマンドの通信に対してのオン、オフの設定を行うためのパラメータである。
【０１４６】
Ｌ．カメラセットアップシステムのパラメータ設定画像の基本的な説明（図１３参照）
【０１４７】
図１３は、以上説明したカメラ若しくはＣＣＵのパラメータを設定するためのパラメータ設定画像としてのパラメータ設定用ウインドウＷｅの基本について説明するための説明図である。
【０１４８】
この図１３に示すパラメータ設定用ウインドウＷｅは、図８に示したアイコン画像に対してポインＰｏを重ねた後に、ポンティングデバイス３００のボタンをダブルクリックするか、若しくは、図１０〜図１２に示したプルダウンメニューの項目を示す文字上に、ポンティングデバイス３００のボタンを押したままでポインタＰｏを重ねた後、ボタンを離すことによって表示される。尚、図３に示したモニタ画像については、その図示を省略する。
【０１４９】
このパラメータ設定用ウインドウＷｅは、説明を分かりやすくするために、音声信号について設定する場合について示している。エリアＡｒ１には、タイトル画像Ｔｉとボタン画像ＢＵが表示されている。タイトルは、「ＳＯＬＯ」であり、選択されている音声信号が単独で出力されることを示している。ボタンＢＵは、ポインタＰｏが重ねられた後に、ポンティングデバイス３００のボタンがクリックされることにより「ＯＮ」、「ＯＦＦ」が切り換わる。つまり、ボタンＢＵに対しては、様々なデータが設定されており、ポンティングデバイス３００のクリック毎に順次そのデータが切り換わる。表示例では、「ＯＮ」となっているので、タイトル画像Ｔｉが示す「ＳＯＬＯ」は「ＯＮ」、即ち、有効になっている。
【０１５０】
エリアＡｒ２には、タイトル画像Ｔｉと“１”〜“５”までのスイッチ画像ＳＷが表示されている。タイトル画像Ｔｉが示す「ＯＵＴＰＵＴ」は、「出力端子」を意味する。この例では、“１”から“５”までの値は、音声信号の出力端子の番号を示しており、何れかのスイッチＳＷ上にポインタＰｏを重ねた後に、ポンティングデバイス３００のボタンをクリックすることにより、１つのスイッチＳＷが選択され、そのスイッチＳＷが示す“１”〜“５”までの値、即ち、出力端子の番号が選択される。
【０１５１】
エリアＡｒ３には、スライドレバー画像ＳＬと、破線で示すエリアＡｒ内に数値画像が表示されている。スライドレバー画像ＳＬは、レバー画像Ｍａと、設定する値が絶対値表示の場合には、中心位置に、設定する値が相対値表示の場合には、変更する前の位置に表示される基準点画像Ｐ０とからなる。また、上記スライドレバー画像ＳＬの両端には、負側の最大値を示す数値画像及び正側の最大値を示す数値画像が表示される。
【０１５２】
上記レバー画像Ｍａは、ポインタＰｏを重ねた状態で、ポンティングデバイス３００のボタンを押したまま、ポンティングデバイス３００を移動させると、その移動量に応じて画像上において移動する。そして、上記エリアＡｒ内には、上記ポンティングデバイス３００の移動量に応じた数値が順次表示される。
【０１５３】
エリアＡｒ４には、このエリアＡｒ４の下部に表示されている、ボタン画像ＷＢＵにポインタＰｏを重ねた後にポンティングデバイス３００のボタンをクリックすると、図に示すような、現在設定中のパラメータに対応するグラフ、或いは波形図画像Ｌｉが表示される。この状態で、ボタン画像ＷＢＵにポインタＰｏを重ねた後にポンティングデバイス３００のボタンをクリックすると、エリアＡｒ４に表示されている波形図画像Ｌｉの表示は行われなくなる。
【０１５４】
ここで、最も重要なことは、波形図画像Ｌｉにおいて、破線の丸で示すポイントＰに、ポインタＰｏを重ねた後に、ポンティングデバイス３００のボタンを押し、この状態を保持したままで、ポンティングデバイス３００を上下に移動させると、ポンティングデバイス３００の移動量に応じて、波形画像Ｌｉも、図中実線の矢印で示す上下方向に伸びたり縮んだりすることと、これに連動して、コンピュータ内部で保持しているパラメータデータの値が可変されることと、上記スライドレバーＳＬのレバーＭａが移動することと、エリアＡｒに表示される数値画像が変化することである。これらの制御は、既に説明した、図４の指示解析手段１３２、表示制御手段１３４及びパラメータ制御手段１３８が行う。
【０１５５】
つまり、オペレータは、この図１３に示すようなグラフィカル・ユーザー・インターフェースを有するカメラセットアップシステムにより、カメラやＣＣＵのパラメータを制御することができるのである。
【０１５６】
尚、後に、図３０〜図８７に、各パラメータに対応するパラメータ設定用ウインドウＷｅの表示例を示し、これらについて説明するが、パラメータが異なるだけで、上述したようなボタンＢＵ、スイッチ画像ＳＷ、エリアＡｒの数値画像、スライドレバー画像ＳＬ、波形図画像Ｌｉ、ボタン画像ＷＢＵの基本的な使用方法及びこれらの画像がポンティングデバイス３００により操作されることによる基本的な処理について全て同じなので、この図１３について説明したことについてはその説明を省略する。
【０１５７】
Ｍ．カメラセットアップシステムによるメイン処理の動作説明（図１４〜図１６参照）
【０１５８】
図１４〜図１６は、図５に示したフローチャートのステップＳ１５０のカメラセットアップシステムによるメイン処理を説明するためのフローチャートである。
【０１５９】
ステップＳ１５１では、図４に示したパラメータ制御手段１３８が、ＲＡＭ１０３等の初期化等を行う。そして、ファイル管理手段１４０が、図３に示したディスクドライブ３５０から、図７に示した接続構成ウインドウの画像データを読み出す。そして、表示制御手段１３４が、接続構成ウインドウの画像データを、ＶＲＡＭ１０５に書き込む。ＶＲＡＭ１０５に書き込まれた接続構成ウインドウの画像データは、画像表示用アクセラレータ１１５及び出力端子１１６を介して、図３に示したディスプレイ５０に供給され、ディスプレイ５０の表示面上に、画像として表示される。そしてステップＳ１５２に移行する。
【０１６０】
ステップＳ１５２では、図７に示した接続構成ウインドウ上において、オペレータによって、カメラ若しくはＣＣＵのアイコン画像Ｃａ１からＣａ６若しくはＣｕ１〜Ｃｕ６の何れか１つが選択されると、図４に示したコマンド発行手段１５２が、図３に示したカメラ１０００若しくは制御器１２００−１、・・・・１２００−ｎに対し、機種ＩＤデータの送信要求を示すコマンドを発行する。そしてステップＳ１５３に移行する。
【０１６１】
ステップＳ１５３では、図４に示したコマンド発行手段１３９が、機種ＩＤデータを取得できたか否かを判断し、「ＹＥＳ」であればステップＳ１５５に移行し、「ＮＯ」であればステップＳ１５４に移行する。
【０１６２】
ステップＳ１５４では、図４に示した表示制御手段１３４が、オペレータに対し、オペレータが指定したカメラ１０００若しくは制御器１２００−１、・・・・１２００−ｎが接続されているか否かを確認することを報知するためのアラーム画像データを、ＶＲＡＭ１０５に書き込む。ＶＲＡＭ１０５に書き込まれたアラーム画像データは、図３に示したディスプレイ５０の表示面上に、画像として表示される。一方、図４に示したコマンド発行手段１３９が、図３に示したカメラ１０００や制御器１２００−１、・・・・１２００−ｎに対し、機種ＩＤデータの送信要求を示すコマンドを発行する。そしてステップＳ１５５に移行する。
【０１６３】
ステップＳ１５５では、図４に示したファイル管理手段４０２が、取得した機種ＩＤデータの確認を行う。この確認処理は、取得した機種ＩＤデータに対応する機種設定ファイルを限定するための処理である。そしてステップＳ１５６に移行する。
【０１６４】
ステップＳ１５６では、図４に示したファイル管理手段１４０が、ステップＳ１５５において確認した機種ＩＤデータに対応する、機種設定ファイルを、図３に示したディスクドライブ３５０から読み込む。そしてステップＳ１５７に移行する。
【０１６５】
ステップＳ１５７では、図４に示したファイル管理手段１４０が、機種設定ファイルから正常にファイルデータを読み込むことができたか否かを判断し、「ＹＥＳ」であればステップ１５９に移行し、「ＮＯ」であればステップＳ１５８に移行する。
【０１６６】
ステップＳ１５８では、図４に示した表示制御手段１３４が、ファイルの読み込みに失敗したことを示すアラーム画像データを、ＶＲＡＭ１０５に書き込む。ＶＲＡＭ１０５に書き込まれたアラーム画像データは、図３に示したディスプレイ５０の表示面上に画像として表示される。そしてステップＳ１５９に移行する。
【０１６７】
ステップＳ１５９では、図４に示したパラメータ制御手段１３８が、ファイル管理手段１４０によって読み出された機種設定ファイルデータに基いて、設定項目を設定すると共に、図４に示した表示制御手段１３４が、上記機種設定ファイルデータに基いて、ウインドウ画像データを、ＶＲＡＭ１０５に書き込む。ＶＲＡＭ１０５に書き込まれたアラーム画像データは、図３に示したディスプレイ５０の表示面上に画像として表示される。そしてステップＳ１６０に移行する。
【０１６８】
ステップＳ１６０では、図４に示したコマンド発行手段１３９が、図３に示したデータ変換器４００に対し、接続確認のためのコマンドを発行する。そして、コマンド発行手段１３９は、上記コマンドに対する応答が有るか否かにより、データ変換器４００が接続されているか否かを判断し、「ＹＥＳ」であれば図１５に示すフローチャートのステップＳ１６１に移行し、「ＮＯ」であれば図１５に示すフローチャートのステップＳ１６２に移行する。
【０１６９】
ステップＳ１６１では、図４に示したコマンド発行手段１３９が、図３に示したデータ変換器４００に対し、コマンド変換用データをロードする。そしてステップＳ１６２に移行する。
【０１７０】
ステップＳ１６２では、図４に示したコマンド発行手段１３９が、図３に示したカメラ１０００や制御器１２００−１、・・・・１２００−ｎに対し、現状のセットアップ状態を示すセットアップデータの送信要求を示すコマンドを、発行する。そしてステップＳ１６３に移行する。ここで、セットアップデータは、上記カメラ１０００や制御器１２００−１、・・・・１２００−ｎにおける各複数のパラメータデータである。
【０１７１】
ステップＳ１６３では、図４に示したコマンド発行手段１６３が、セットアップデータを取得できたか否かを判断し、「ＹＥＳ」であればステップＳ１６３に移行し、「ＮＯ」であれば再びステップＳ１６２に移行する。
【０１７２】
ステップＳ１６４では、図４に示したファイル管理手段１４０が、送信されてきた現状のセットアップデータを、ファイルとしてＲＡＭ１０３に記憶する。そしてステップＳ１６５に移行する。
【０１７３】
ステップＳ１６５では、図４に示したファイル管理手段１４０が、ＲＡＭ１０３に記憶したセットアップデータの内容のベリファイを行う。そしてステップＳ１６６に移行する。
【０１７４】
ステップＳ１６６では、図４に示したファイル管理手段１４０が、ＲＡＭ１０３に記憶したセットアップデータの内容のベリファイをした結果、送信されてきたセットアップデータの内容と、ＲＡＭ１０３に記憶されているセットアップデータの内容が一致したか否かを判断し、「ＹＥＳ」であればステップＳ１６８に移行し、「ＮＯ」であればステップＳ１６７に移行する。
【０１７５】
ステップＳ１６７では、図４に示した表示制御手段１３４が、不一致内容を示す、不一致内容報知画像データを、ＶＲＡＭ１０５に書き込む。ＶＲＡＭ１０５に書き込まれた不一致内容報知画像データは、図３に示したディスプレイ５０の表示面上に画像として表示される。そしてステップＳ１６８に移行する。
【０１７６】
ステップＳ１６８では、図４に示したコマンド解析手段１３３が、オペレータにより、現状のセットアップデータによるセットアップを行うことを示す指定がされたか否かを判断し、「ＹＥＳ」であればステップＳ１６９に移行し、「ＮＯ」であればステップＳ１７０に移行する。
【０１７７】
ステップＳ１６９では、図４に示した表示制御手段１３４が、現状のセットアップデータでセットアップ項目の内容を示す画像データを、ＶＲＡＭ１０５に書き込む。ＶＲＡＭ１０５に書き込まれた画像データは、図３に示したディスプレイ５０の表示面上に画像として表示される。そして図１６に示すフローチャートのステップＳ１７４に移行する。
【０１７８】
ステップＳ１７０では、図４に示した表示制御手段１３４が、設定ファイルの内容による、セットアップ項目の内容を示す画像データを、ＶＲＡＭ１０５に書き込む。ＶＲＡＭ１０５に書き込まれた画像データは、図３に示したディスプレイ５０の表示面上に画像として表示される。そして図１６に示すフローチャートのステップＳ１７１に移行する。ここで言う、設定ファイルとは、ディスクドライブ３５０に保存されているファイルである。
【０１７９】
ステップＳ１７１では、図４に示したコマンド発行手段１４０が、設定ファイルのセットアップデータを、図３に示したカメラ１０００や制御器１２００−１、・・・・１２００−ｎに対して送信する。セットアップデータが図３に示したカメラ１０００や制御器１２００−１、・・・・１２００−ｎに送信されると、カメラ１０００や制御器１２００−１、・・・・１２００−ｎは、送信されたセットアップデータに基いて、自己のパラメータを設定してセットアップを行う。そしてステップＳ１７２に移行する。
【０１８０】
ステップＳ１７２では、図４に示したコマンド解析手段１３３が、図３に示したカメラ１０００や制御器１２００−１、・・・・１２００−ｎからのコマンドを解析し、この結果、送信が正常に終了したか否かを判断し、「ＹＥＳ」であればステップＳ１７４に移行し、「ＮＯ」であればステップＳ１７３に移行する。
【０１８１】
ステップＳ１７３では、コマンド発行手段１７３が、図３に示したカメラ１０００や制御器１２００−１、・・・・１２００−ｎに対し、セットアップデータの再送処理を行う。そしてステップＳ１７４に移行する。
【０１８２】
ステップＳ１７４では、図４に示した指示解析手段１３２が、ポンティングデバイス３００若しくはキーボード２５０による指示が、画像のどの位置で行われたか否かを解析する。そして、この解析の結果に基いて、コマンド解析手段１３３が、オペレータに指示されたコマンドを解析し、コマンドが、ファイル処理を示すコマンドか否かを判断し、「ＹＥＳ」であればステップＳ２００に移行する。
【０１８３】
ステップＳ２００では、ファイル処理が実行される。そしてステップＳ１７８に移行する。
【０１８４】
ステップＳ１７５では、図４に示した指示解析手段１３２が、ポンティングデバイス３００若しくはキーボード２５０による指示が、画像のどの位置で行われたか否かを解析する。そして、この解析の結果に基いて、コマンド解析手段１３３が、オペレータに指示されたコマンドを解析し、コマンドが、セットアップ処理を示すコマンドか否かを判断し、「ＹＥＳ」であればステップＳ２５０に移行する。
【０１８５】
ステップＳ２５０では、セットアップ処理が実行される。そしてステップＳ１７８に移行する。
【０１８６】
ステップＳ１７６では、図４に示した指示解析手段１３２が、ポンティングデバイス３００若しくはキーボード２５０による指示が、画像のどの位置で行われたか否かを解析する。そして、この解析の結果に基いて、コマンド解析手段１３３が、オペレータに指示されたコマンドを解析し、コマンドが、オプション処理を示すコマンドか否かを判断し、「ＹＥＳ」であればステップＳ３００に移行する。
【０１８７】
ステップＳ３００では、オプション処理が実行される。そしてステップＳ１７８に移行する。
【０１８８】
ステップＳ１７７では、図４に示した指示解析手段１３２が、ポンティングデバイス３００若しくはキーボード２５０による指示が、画像のどの位置で行われたか否かを解析する。そして、この解析の結果に基いて、コマンド解析手段１３３が、オペレータに指示されたコマンドを解析し、コマンドが、ヘルプ処理を示すコマンドか否かを判断し、「ＹＥＳ」であればステップＳ３５０に移行する。
【０１８９】
ステップＳ３５０では、ヘルプ処理が実行される。そしてステップＳ１７８に移行する。
【０１９０】
ステップＳ１７８では、図４に示した指示解析手段１３２が、ポンティングデバイス３００若しくはキーボード２５０による指示が、画像のどの位置で行われたか否かを解析する。そして、この解析の結果に基いて、コマンド解析手段１３３が、オペレータに指示されたコマンドを解析し、コマンドが、カメラセットアップシステムの終了を示すコマンドか否かを判断し、「ＹＥＳ」であれば終了し、「ＮＯ」であれば再びステップＳ１７４に移行する。
【０１９１】
Ｎ．カメラセットアップシステムによるセットアップ処理の動作説明（図１７及び図１８参照）
【０１９２】
図１７及び図１８は、図１６に示したセットアップ処理の動作を説明するためのフローチャートである。
【０１９３】
ステップＳ２５１では、図４に示した指示解析手段１３２が、ポンティングデバイス３００若しくはキーボード２５０による指示が、画像のどの位置で行われたか否かを解析する。そして、この解析の結果に基いて、コマンド解析手段１３３が、オペレータに指示されたコマンドを解析し、コマンドが、セットアップ項目の指定を示すコマンドか否かを判断し、「ＹＥＳ」であればステップＳ２５２に移行する。
【０１９４】
ステップＳ２５２では、図４に示したパラメータ制御手段１３８が、オペレータに指定されたセットアップ項目に対応するパラメータを選択する。そしてステップＳ２５３に移行する。
【０１９５】
ステップＳ２５３では、図４に示したファイル管理手段１４０が、ステップＳ２５２において選択されたパラメータに対応する、パラメータ設定用ウインドウの画像データを、ディスクドライブ３５０から読み出す。そして、表示制御手段１３４が、読み出されたパラメータ設定用ウインドウの画像データを、ＶＲＡＭ１０５に書き込む。ＶＲＡＭ１０５に書き込まれたパラメータ設定用ウインドウ画像データは、図３に示したディスプレイ５０の表示面上に画像として表示される。そしてステップＳ２５４に移行する。
【０１９６】
ステップＳ２５４では、図４に示したコマンド解析手段１３３が、波形表示が有るか否かを判断し、「ＹＥＳ」であればステップＳ２５５に移行し、「ＮＯ」であればステップＳ２５８に移行する。
【０１９７】
ステップＳ２５５では、図４に示した指示解析手段１３２が、ポンティングデバイス３００のボタンの押圧位置を解析する。そして、この解析の結果に基いて、指示解析手段１３２が、波形表示が指定されたか否かを判断し、「ＹＥＳ」であればステップＳ２５６に移行し、「ＮＯ」であればステップＳ２５７に移行する。
【０１９８】
ステップＳ２５６では、図４に示した表示制御手段１３４が、波形表示用ウインドウ画像データを、ＶＲＡＭ１０５に書き込む。ＶＲＡＭ１０５に書き込まれた波形表示用ウインドウ画像データは、図３に示したディスプレイ５０の表示面上に画像として表示される。そしてステップＳ２５８に移行する。
【０１９９】
ステップＳ２５７では、図４に示した表示制御手段１３４が、パラメータ設定用ウインドウの画像データをＶＲＡＭ１０５に書き込む。ＶＲＡＭ１０５に書き込まれたパラメータ設定用ウインドウ画像データは、図３に示したディスプレイ５０の表示面上に画像として表示される。これにより、波形表示用ウインドウの画像データは、ディスプレイ５０の表示面上から消される。そしてステップＳ２５８に移行する。
【０２００】
ステップＳ２５８では、図４に示した指示解析手段１３２が、ポンティングデバイス３００のボタンの画像上におけるクリック位置を解析し、この解析の結果に基いて、スイッチ画像の変更が有るか否かを判断し、「ＹＥＳ」であれば図１８に示すステップＳ２６６に移行し、「ＮＯ」であればステップＳ２５９に移行する。
【０２０１】
ステップＳ２５９では、スイッチによる変更処理を実行する。そして図１８に示すステップＳ２６６に移行する。
【０２０２】
ステップＳ２６６では、図４に示した指示解析手段１３２が、ポンティングデバイス３００の画像上における押圧位置を解析し、この解析の結果に基いて、スライドレバー画像の変更が有るか否かを判断し、「ＹＥＳ」であればステップＳ２６７に移行し、「ＮＯ」であればステップＳ２７７に移行する。
【０２０３】
ステップＳ２７７では、図４に示した指示解析手段１３２が、ポンティングデバイス３００の画像上におけるクリック位置を解析し、この解析の結果に基いて、数値の変更が有るか否かを判断し、「ＹＥＳ」であればステップＳ２７８に移行し、「ＮＯ」であればステップＳ２８８に移行する。
【０２０４】
ステップＳ２７８では、数値による変更処理を実行する。そしてステップＳ２８８に移行する。
【０２０５】
ステップＳ２８８では、図４に示した指示解析手段１３２が、ポンティングデバイス３００の画像上におけるクリック位置を解析し、この解析の結果に基いて、波形表示がオンか否かを判断し、「ＹＥＳ」であればステップＳ２８９に移行し、「ＮＯ」であればステップＳ２９９に移行する。
【０２０６】
ステップＳ２８９では、図４に示した指示解析手段１３２が、ポインティングデバイス３００の画像上における押圧位置を解析し、この解析の結果に基いて、波形の変更が有るか否かを判断し、「ＹＥＳ」であればステップＳ２９０に移行し、「ＮＯ」であればステップＳ２９９に移行する。
【０２０７】
ステップＳ２９０では、波形による変更処理を実行する。そしてステップＳ２９９に移行する。
【０２０８】
ステップＳ２９９では、図４に示した指示解析手段１３２が、ポインティングデバイス３００の画像上におけるクリック位置を解析する。そして、図４に示したコマンド解析手段１３３が、上記解析結果に基いて、オペレータから指示されたコマンドが、設定終了か否かを判断し、「ＹＥＳ」であれば終了し、「ＮＯ」であれば再び図１７に示すステップＳ２５４に移行する。
【０２０９】
Ｏ．カメラセットアップシステムのスイッチによる変更処理の動作説明（図１９参照）
【０２１０】
図１９は、図１７に示したフローチャートのステップＳ２５９のスイッチによる変更処理を説明するためのフローチャートである。
【０２１１】
ステップＳ２６０では、図４に示した表示制御手段１３４が、変更後のスイッチ画像データを、ＶＲＡＭ１０５に書き込む。ＶＲＡＭ１０５に書き込まれたスイッチ画像画像データは、図３に示したディスプレイ５０の表示面上に画像として表示される。そしてステップＳ２６１に移行する。
【０２１２】
ステップＳ２６１では、図４に示したパラメータ制御手段１３８が、対応するパラメータデータの値を変更する。そしてステップＳ２６２に移行する。
【０２１３】
ステップＳ２６２では、図４に示したファイル管理手段１４０が、変更されたパラメータデータを、ＲＡＭ１０４上に保持されているファイルに対し、ファイルデータとしてセットし、このファイルデータを、ディスクドライブ３５０にセーブする。そしてステップＳ２６３に移行する。
【０２１４】
ステップＳ２６３では、図４に示したコマンド発行手段１３９が、図３に示したカメラ１０００や制御器１２００−１、・・・・１２００−ｎに対し、パラメータデータ等を送信する。そしてステップＳ２６４に移行する。
【０２１５】
ステップＳ２６４では、図４に示したコマンド解析手段１３３が、図３に示したカメラ１０００や制御器１２００−１、・・・・１２００−ｎからのコマンド若しくはデータ変換器４００からのコマンド等を解析し、送信が正常に終了したか否かを判断し、「ＹＥＳ」であればこの処理ルーチンを抜け、「ＮＯ」であればステップＳ２６５に移行する。
【０２１６】
ステップＳ２６５では、図４に示したコマンド発行手段１３９が、図３に示したカメラ１０００や制御器１２００−１、・・・・１２００−ｎに対する、パラメータデータの再送処理を行う。そしてステップＳ２６３に移行する。
【０２１７】
Ｐ．カメラセットアップシステムのスライドレバーによる変更処理の動作説明（図２０参照）
【０２１８】
図２０は、図１８に示したスライドレバーによる変更処理を説明するためのフローチャートである。
【０２１９】
ステップＳ２６８では、図４に示した指示解析手段１３２が、ポンティングデバイス３００のボタンが押圧されてから、離されるまでのポンティングデバイス３００の移動量を検出する。そして、表示制御手段１３４が、上記移動量に基いて、ＶＲＡＭ１０５に記憶されているスライドレバー画像のレバー画像データを変更する。そしてステップＳ２６９に移行する。
【０２２０】
ステップＳ２６９では、図４に示した表示制御手段１３４が、上記移動量に基いて、ＶＲＡＭ１０５に記憶されている数値データ画像を変更する。そしてステップＳ２７０に移行する。
【０２２１】
ステップＳ２７０では、図４に示したパラメータ制御手段１３８が、上記移動量に基いて、パラメータデータの値を変更する。そしてステップＳ２７１に移行する。
【０２２２】
ステップＳ２７１では、図４に示した表示制御手段１３４が、波形表示がオンになっているか否かを判断し、「ＹＥＳ」であればステップＳ２７２に移行し、「ＮＯ」であればステップＳ２７３に移行する。
【０２２３】
ステップＳ２７２では、図４に示した表示制御手段１３４が、上記移動量に基いて、ＶＲＡＭ１０５に記憶されている波形画像を変更する。そしてステップＳ２７３に移行する。
【０２２４】
ステップＳ２７３では、図４に示したファイル管理手段１４０が、変更されたパラメータデータを、ＲＡＭ１０４上に保持されているファイルに対し、ファイルデータとしてセットし、このファイルデータを、ディスクドライブ３５０にセーブする。そしてステップＳ２７４に移行する。
【０２２５】
ステップＳ２７４では、図４に示したコマンド発行手段１３９が、図３に示したカメラ１０００や制御器１２００−１、・・・・１２００−ｎに対し、パラメータデータ等を送信する。そしてステップＳ２７５に移行する。
【０２２６】
ステップＳ２７５では、図４に示したコマンド解析手段１３３が、図３に示したカメラ１０００や制御器１２００−１、・・・・１２００−ｎからのコマンド若しくはデータ変換器４００からのコマンド等を解析し、送信が正常に終了したか否かを判断し、「ＹＥＳ」であればこの処理ルーチンを抜け、「ＮＯ」であればステップＳ２７６に移行する。
【０２２７】
ステップＳ２７６では、図４に示したコマンド発行手段１３９が、図３に示したカメラ１０００や制御器１２００−１、・・・・１２００−ｎに対する、パラメータデータの再送処理を行う。そしてステップＳ２７４に移行する。
【０２２８】
Ｑ．カメラセットアップシステムの数値による変更処理の動作説明（図２１参照）
【０２２９】
図２１は、図１８に示した数値による変更処理を説明するためのフローチャートである。
【０２３０】
ステップＳ２７９では、図４に示した指示解析手段１３２が、キーボード２５０により入力された数値データを検出する。そして、表示制御手段１３４が、上記数値データに基いて、ＶＲＡＭ１０５に記憶されている数値データ画像を変更する。そしてステップＳ２８０に移行する。
【０２３１】
ステップＳ２８０では、図４に示した表示制御手段１３４が、上記数値データに基いて、ＶＲＡＭ１０５に記憶されているスライドレバー画像を変更する。そしてステップＳ２８１に移行する。
【０２３２】
ステップＳ２８１では、図４に示したパラメータ制御手段１３８が、上記数値データに基いて、パラメータデータの値を変更する。そしてステップＳ２８２に移行する。
【０２３３】
ステップＳ２８２では、図４に示した表示制御手段１３４が、波形表示がオンになっているか否かを判断し、「ＹＥＳ」であればステップＳ２８４に移行し、「ＮＯ」であればステップＳ２８３に移行する。
【０２３４】
ステップＳ２８３では、図４に示した表示制御手段１３４が、上記数値データに基いて、ＶＲＡＭ１０５に記憶されている波形画像を変更する。そしてステップＳ２８４に移行する。
【０２３５】
ステップＳ２８４では、図４に示したファイル管理手段１４０が、変更されたパラメータデータを、ＲＡＭ１０４上に保持されているファイルに対し、ファイルデータとしてセットし、このファイルデータを、ディスクドライブ３５０にセーブする。そしてステップＳ２８５に移行する。
【０２３６】
ステップＳ２８５では、図４に示したコマンド発行手段１３９が、図３に示したカメラ１０００や制御器１２００−１、・・・・１２００−ｎに対し、パラメータデータ等を送信する。そしてステップＳ２８６に移行する。
【０２３７】
ステップＳ２８６では、図４に示したコマンド解析手段１３３が、図３に示したカメラ１０００や制御器１２００−１、・・・・１２００−ｎからのコマンド若しくはデータ変換器４００からのコマンド等を解析し、送信が正常に終了したか否かを判断し、「ＹＥＳ」であればこの処理ルーチンを抜け、「ＮＯ」であればステップＳ２８７に移行する。
【０２３８】
ステップＳ２８７では、図４に示したコマンド発行手段１３９が、図３に示したカメラ１０００や制御器１２００−１、・・・・１２００−ｎに対する、パラメータデータの再送処理を行う。そしてステップＳ２８５に移行する。
【０２３９】
Ｒ．カメラセットアップシステムの波形による変更処理の動作説明（図２２参照）
【０２４０】
図２２は、図１８に示した波形による変更処理を説明するためのフローチャートである。
【０２４１】
ステップＳ２９１では、図４に示した指示解析手段１３２が、ポンティングデバイス３００のボタンが押圧されてから、離されるまでのポンティングデバイス３００の移動量を検出する。そして、表示制御手段１３４が、上記移動量に基いて、ＶＲＡＭ１０５に記憶されている波形画像データを変更する。そしてステップＳ２９２に移行する。
【０２４２】
ステップＳ２９２では、図４に示した表示制御手段１３４が、上記移動量に基いて、ＶＲＡＭ１０５に記憶されているスライドレバー画像データを変更する。そしてステップＳ２９３に移行する。
【０２４３】
ステップＳ２９３では、図４に示した表示制御手段１３４が、上記移動量に基いて、ＶＲＡＭ１０５に記憶されている数値データ画像を変更する。そしてステップＳ２９４に移行する。
【０２４４】
ステップＳ２９４では、図４に示したパラメータ制御手段１３８が、上記移動量に基いて、パラメータデータの値を変更する。そしてステップＳ２９５に移行する。
【０２４５】
ステップＳ２９５では、図４に示したファイル管理手段１４０が、変更されたパラメータデータを、ＲＡＭ１０４上に保持されているファイルに対し、ファイルデータとしてセットし、このファイルデータを、ディスクドライブ３５０にセーブする。そしてステップＳ２９６に移行する。
【０２４６】
ステップＳ２９６では、図４に示したコマンド発行手段１３９が、図３に示したカメラ１０００や制御器１２００−１、・・・・１２００−ｎに対し、パラメータデータ等を送信する。そしてステップＳ２９７に移行する。
【０２４７】
ステップＳ２９７では、図４に示したコマンド解析手段１３３が、図３に示したカメラ１０００や制御器１２００−１、・・・・１２００−ｎからのコマンド若しくはデータ変換器４００からのコマンド等を解析し、送信が正常に終了したか否かを判断し、「ＹＥＳ」であればこの処理ルーチンを抜け、「ＮＯ」であればステップＳ２９８に移行する。
【０２４８】
ステップＳ２９８では、図４に示したコマンド発行手段１３９が、図３に示したカメラ１０００や制御器１２００−１、・・・・１２００−ｎに対する、パラメータデータの再送処理を行う。そしてステップＳ２９６に移行する。
【０２４９】
Ｓ．カメラセットアップシステムにおいて用いられる伝送用のデータフォーマット及び各種ファイルフォーマットの説明（図２３参照）
【０２５０】
図２３は、カメラセットアップシステムにおいて用いられる伝送用のデータフォーマット及び各種ファイルフォーマットの例を示す説明図である。
【０２５１】
図２３Ａは、パラメータの設定時における伝送フォーマットの例を示す説明図である。この図２３Ａに示すように、伝送時においては、伝送先を示す機種ＩＤデータ、パラメータを変更することを示すコマンド、変更すべきパラメータを示すパラメータＩＤデータ及びパラメータデータからなる。
【０２５２】
図２３Ｂは、セットアップパラメータファイルの例を示す説明図である。この図２３Ｂに示すように、セットアップパラメータファイルは、機種ＩＤデータと、パラメータＩＤデータと、パラメータデータとからなる。このセットアップパラメータファイルは、カメラやＣＣＵに対して設定した全てのパラメータデータからなる。
【０２５３】
図２３Ｃは、ＬＳＩポートデータファイルの例を示す説明図である。この図２３Ｃに示すように、ＬＳＩポートデータファイルは、機種ＩＤデータと、ＬＳＩＩＤデータと、使用バイト数データと、設定データからなる。上記設定データは、カメラやＣＣＵに必要なＬＳＩポートデータ及びＩ／Ｏポートデータ等からなる。
【０２５４】
図２３Ｄは、画面表示設定ファイルの例を示す説明図である。この図２３Ｄに示すように、画面表示設定ファイルは、機種ＩＤデータと、パラメータＩＤデータと、パラメータ表示データとからなる。上記パラメータ表示データは、スイッチの番号を選択して所望の設定にする際、どの番号のスイッチが、どのような値かを示すためのデータである。
【０２５５】
図２３Ｅは、機器内部データファイルの例を示す説明図である。この図２３Ｅに示すように、機器内部データファイルは、機種ＩＤデータと、機器内部データとからなる。上記機器内部データは、ガンマカーブ・データ、シーン・ファイル、マスター・セットアップ・ファイル、各種ログファイル、サービス情報等である。つまり、このファイルは、カメラやＣＣＵ側で持つセットアップパラメータファイルで扱うデータ以外の機器内部情報について、コンピュータ１００においてセーブ、ロードができるようにするためのファイルである。
【０２５６】
尚、図には示していないが、上記ファイルの他に、機種設定ファイルも用いられる。機種設定ファイルは、各機種毎に用意されており、接続機種に応じてディスクドライブ３５０からコンピュータ１００にロードすることにより、コンピュータ１００を、接続機種に合致した処理を行うように設定するためのファイルである。
【０２５７】
以上説明した５つのファイルは、例えばＡＳＣＩＩテキスト形式で図３に示したディスクドライブ３５０、図４に示したカードスロット１０９にセットされるＩＣカード等に保存することができる他、図９に示した「ＳＥＴＵＰ」のプルダウンメニューの「ＦＩＬＥ  ＥＤＩＴ」の項目を選択した場合に、テキスト形式のままで、内容を変更することができる。
【０２５８】
Ｔ．図３に示したデータ変換器の構成の説明（図２４参照）
【０２５９】
図２４は、図３に示したデータ変換器４００の内部構成例を示す構成図である。
【０２６０】
〔接続及び構成〕
この図２４に示すデータ変換器４００は、ＣＰＵ４０１に、アドレス、データ及びコントロールバスからなるバス４０２が接続され、このバス４０２に、プログラムデータやプロトコル変換用のテーブル等の記憶されたＲＯＭ４０３、図４に示したコンピュータ１００からのロードデータの保持用及びワーク用のＲＡＭ４０４、インターフェース４０６、４０９及び４１２が接続され、更にこれらインターフェース回路４０６、４０９及び４１２に、コネクタ４０８、４１１及び４１４が夫々接続されて構成される。
【０２６１】
ここで、上記インターフェース回路４０６は、図４に示したコンピュータ１００と通信を行うための、ＲＳ−２３２ＣやＲＳ−４２２インターフェース等のインターフェース回路である。上記インターフェース回路４０９及び４１２は、図３に示したカメラ１０００の種類や、制御器１２００−１、・・・・１２００−ｎの種類に対応すべく、２種類設けられており、ＲＳ−２３２ＣやＲＳ−４２２インターフェース等のインターフェース回路である。
【０２６２】
この図２４に示すデータ変換器４００に電源が投入され、更に、コンピュータ１００からコマンド変換データがロードされると、ＣＰＵ４０１は、図中、一点鎖線の枠内に示すような多くの機能を有する。
【０２６３】
接続チェック手段４１５は、データ変換器４００と他の機器との接続状態をチェックする機能を有する。通信制御手段４１６は、データ変換器４００と接続されている他の機器との通信を制御する機能を有する。プロトコルチェック手段４１７は、データ変換器４００と接続されている他の機器からデータが送信された場合に、その通信プロトコルをチェックする機能を有する。データ解析手段４１８は、コンピュータ１００から伝送されるデータが、コマンドデータを変換するためのデータか否かを判断する機能を有する。
【０２６４】
コマンド変換手段４１９は、コンピュータ１００から伝送されるコマンドデータを、カメラ１０００及び制御器１２００−１、・・・・１２００−ｎにおいて認識可能なコマンドデータに変換する機能と、カメラ１０００及び制御器１２００−１、・・・・１２００−ｎから供給されるコマンドデータを、コンピュータ１００において認識可能なコマンドデータに変換する機能を有する。判断手段４２０は、各種判断を行う機能を有する。
【０２６５】
尚、動作については、図２５〜図２７に示すフローチャートを参照して説明する。
【０２６６】
Ｕ．図２４に示したデータ変換器の制御動作の説明（図２５〜図２７参照）
【０２６７】
図２５〜図２７は、図２４に示したデータ変換器４００の制御動作を説明するためのフローチャートである。動作説明を行うにあたり、コンピュータ１００及びデータ変換器４００間の通信で用いられる通信プロトコルは、ＳＭＰＴＥ  ＲＰ−２７３Ｍで規定されているＣＡＴプロトコルが用いられ、上記インターフェース回路４０９を介して、データ変換器４００及びカメラ１０００若しくは制御器１２００−１、・・・・１２００−ｎ間の通信で用いられる通信プロトコルは、ＲＭプロトコルが用いられ、上記インターフェース回路４１２を介して、データ変換器４００及びカメラ１０００若しくは制御器１２００−１、・・・・１２００−ｎ間で用いられる通信プロトコルは、ＮＣＳ（Ｎｅｗ  ＣｏｍｍａｎｄＳｙｓｔｅｍ）プロトコルが用いられるものとする。上記ＣＡＴプロトコルは、放送機器の集中管理システムである、ＩＳＲ（Ｉｎｔｅｒａｃｔｉｖｅ  Ｓｔａｔｕｓ  Ｒｅｐｏｒｔｉｎｇ）システムで使用するプロトコルである。また、パラメータデータの通信は、コンピュータ１００及びデータ変換器４００間、並びにデータ変換器４００及びカメラ１０００間で行う場合を例にとり説明する。
【０２６８】
尚、以上のように、使用されるプロトコルを具体的に説明するのは、説明を分かり易くするために、便宜上行うものである。よって、プロトコルやインターフェースに制限はない。
【０２６９】
ステップＳ４０１では、図２４に示した接続チェック手段４１５が、ケーブルの接続の確認を行う。そしてステップＳ４０２に移行する。
【０２７０】
ステップＳ４０２では、図２４に示した判断手段４２０が、コンピュータ１００からの入力が有るか否かを判断し、「ＹＥＳ」であればステップＳ４０３に移行する。
【０２７１】
ステップＳ４０３では、図２４に示したプロトコルチェック手段４１７が、ＩＳＲプロトコルのチェックを行う。そしてステップＳ４０４に移行する。
【０２７２】
ステップＳ４０４では、図２４に示した判断手段４２０が、チェックの結果、ＩＳＲプロトコルを正しく認識できたか否かを判断し、「ＹＥＳ」であればステップＳ４０５に移行し、「ＮＯ」であればステップＳ４０４に移行する。
【０２７３】
ステップＳ４０４では、図２４に示した通信制御手段４１６が、コンピュータ１００に対し、ＮＡＫデータを送信する。そして再びステップＳ４０２に移行する。
【０２７４】
ステップＳ４０５では、図２４に示した通信制御手段４１６が、コンピュータ１００に対し、ＡＣＫデータを送信する。そしてステップＳ４０６に移行する。
【０２７５】
ステップＳ４０６では、図２４に示した判断手段４２０が、コンピュータ１００から伝送されたデータが、コマンド変換データか否かを判断し、「ＹＥＳ」であればステップＳ４０８に移行し、「ＮＯ」であればステップＳ４０７に移行する。
【０２７６】
ステップＳ４０７では、図２４に示したコマンド変換手段４９が、コマンド変換データを設定する。そして再びステップＳ４０２に移行する。
【０２７７】
ステップＳ４０８では、図２４に示した判断手段４１９が、ＮＣＳプロトコルを用いるカメラ１０００か否かを判断し、「ＹＥＳ」であれば図２６に示すフローチャートのステップＳ４１３に移行し、「ＮＯ」であればステップＳ４０９に移行する。
【０２７８】
ステップＳ４０９では、図２４に示したコマンド変換手段４１９が、通信プロトコルを、ＩＳＲプロトコルからＲＭプロトコルに変換する。そしてステップＳ４１０に移行する。
【０２７９】
ステップＳ４１０では、図２４に示した通信制御手段４１６が、カメラ１０００に対してデータを送信する。そして図２６に示すフローチャートのステップＳ４１１に移行する。
【０２８０】
ステップＳ４１１では、図２４に示した判断手段４２０が、カメラ１０００からの応答が有るか否かを判断し、「ＹＥＳ」であればステップＳ４１２に移行する。
【０２８１】
ステップＳ４１２では、図２４に示したコマンド変換手段４１９が、通信プロトコルを、ＲＭプロトコルからＩＳＲプロトコルに変換する。そして図２７に示すフローチャートのステップＳ４２４に移行する。
【０２８２】
ステップＳ４１３では、図２４に示したコマンド変換手段４１９が、通信プロトコルを、ＩＳＲプロトコルからＮＣＳプロトコルに変換する。そしてステップＳ４１４に移行する。
【０２８３】
ステップＳ４１４では、図２４に示した通信制御手段４１６が、カメラ１０００に対してデータを送信する。そして図２６に示すフローチャートのステップＳ４１５に移行する。
【０２８４】
ステップＳ４１５では、図２４に示した通信制御手段４１６が、カメラ１０００からのＡＣＫデータを受信する。そしてステップＳ４１６に移行する。
【０２８５】
ステップＳ４１６では、図２４に示した判断手段４２０が、データの送信が正しく行われたか否かを判断し、「ＹＥＳ」であれば図２７に示すフローチャートのステップＳ４１８に移行し、「ＮＯ」であればステップ４１７に移行する。
【０２８６】
ステップＳ４１７では、図２４に示した通信制御手段４１６が、エラーデータの再送処理を行う。そして再びステップＳ４１４に移行する。
【０２８７】
ステップＳ４１８では、図２４に示した判断手段４２０が、カメラ１０００からの応答が有るか否か判断し、「ＹＥＳ」であればステップＳ４１９に移行する。
【０２８８】
ステップＳ４１９では、図２４に示したプロトコルチェック手段４１７が、プロトコルのチェックを行う。そしてステップＳ４２０に移行する。
【０２８９】
ステップＳ４２０では、図２４に示した判断手段４２０が、チェックの結果、ＮＣＳプロトコルを正しく認識できたか否かを判断し、「ＹＥＳ」であればステップＳ４２２に移行し、「ＮＯ」であればステップＳ４２１に移行する。
【０２９０】
ステップＳ４２１では、図２４に示した通信制御手段４１６が、カメラ１０００に対し、ＮＡＫデータを送信する。そして再びステップＳ４１８に移行する。
【０２９１】
ステップＳ４２２では、図２４に示した通信制御手段４１６が、カメラ１０００に対し、ＡＣＫデータを送信する。そしてステップＳ４２３に移行する。
【０２９２】
ステップＳ４２３では、図２４に示したコマンド変換手段４１９が、通信プロトコルを、ＮＣＳプロトコルからＩＳＲプロトコルに変換する。そしてステップＳ４２４に移行する。
【０２９３】
ステップＳ４２４では、図２４に示した通信制御手段４１６が、コンピュータ１００に対してデータを送信する。そしてステップＳ４２５に移行する。
【０２９４】
ステップＳ４２５では、図２４に示した通信制御手段４１６が、コンピュータ１００からのＡＣＫデータを受信する。そしてステップＳ４２６に移行する。
【０２９５】
ステップＳ４２６では、図２４に示した判断手段４２０が、データの送信が正しく行われたか否かを判断し、「ＹＥＳ」であれば再び図２５に示すフローチャートのステップＳ４０２に移行し、「ＮＯ」であればステップ４２７に移行する。
【０２９６】
ステップＳ４２７では、図２４に示した通信制御手段４１６が、エラーデータの再送処理を行う。そして再びステップＳ４２４に移行する。
【０２９７】
Ｖ．図３に示したカメラの映像系の構成の説明（図２８参照）
【０２９８】
図２８は、図３に示したカメラ１０００の映像系の内部構成例を示す構成図である。
【０２９９】
〔接続及び構成〕
この図２８に示すカメラ１００の映像系は、対物レンズ５０１、ＣＣフィルタ５０２、ＮＤフィルタ５０３、Ｒ、Ｇ及びＢ用のＣＣＤ５０４、５０５及び５０６、増幅回路５０８、５０９及び５１０、ブラックセット及びブラックシェーディング調整用の加算回路５１１、５１２及び５１３、増幅回路５１５１、５１６及び５１７、トラップフィルタ５１８、５１９及び５２０、利得制御増幅回路５２１、５２２及び５２３、ホワイトシェーディング調整用の乗算回路５２５、５２６及び５２７、フレア調整用の加算回路５２９、５３０及び５３１、プリ・ニー・コントロール用のプリ・ニー回路５３３、５３４及び５３５、ディジタル・ローパス・フィルタ５３７、５３８及び５３９、Ａ−Ｄコンバータ５４０、５４１及び５４２、１Ｈディレイ５４４、５４５、５４６、５４７、５４８及び５４９、輪郭補正信号生成回路５５０、ディジタル・ローパス・フィルタ５５１、マトリクスコントロール用のリニアマトリクス回路５５２、ペデスタル（ブラック）コントロール用の加算回路５５３、５５４及び５５５、ブラックガンマコントロール用のブラックガンマ補正回路５５６、５５７及び５５８、ニー・コントロール用のニー補正回路５５９、５６０及び５６１、ガンマコントロール用のガンマ補正回路５６２、５６３及び５６４、輪郭補正用の加算回路５６５、５６６及び５６７、ブラック／ホワイトクリップコントロール用のブラック／ホワイトクリップ回路５６８、５６９及び６７０、ディジタル・ローパス・フィルタ５７１、５７２及び５７３、サンプリングレートを変換するためのレートコンバータ５７４、５７５及び５７６、ＮＴＳＣ若しくはＰＡＬ方式のコンポジット映像信号を得るためのエンコーダ５７７、Ｄ−Ａコンバータ５７８及びコントローラ５８０、並びにタイミングジェネレータ５０７、Ｄ−Ａコンバータ５１４、５２４、５２８、５３２、５３６及びシェーディング検出回路５４３で構成される。
【０３００】
ここで、上記入出力端子５８１は、図３に示した制御器１２００−、・・・・１２００−ｎに接続され、上記出力端子５８２は、図３に示したＬＣＤ７００の表示用信号入力端子に接続され、上記入力端子５８３は、図３に示した操作キー群７５０の操作データ出力端子に接続される。
【０３０１】
〔パラメータ設定時の動作〕
上記コントローラ５８０は、上記入出力端子５８１を介して、図３に示したコンピュータ１００から、システム制御器１１００及び制御器１２００−１を介して供給される、機種ＩＤデータ、コマンドデータ、パラメータＩＤデータ及びパラメータデータを受け付ける。そして、機種ＩＤデータにより、伝送されたデータが、自己に対するデータか否かを判別し、コマンドデータの示す内容によりどのような処理をするかを認識し、パラメータＩＤデータの示すパラメータに対し、パラメータデータに基いた制御を行う。
【０３０２】
即ち、上記コントローラ５８０は、ＣＣフィルタ５０２に対してＣＣフィルタコントロール信号を供給してＣＣフィルタ５０２の制御を行い、ＮＤフィルタ５０３に対してＮＤフィルタコントロール信号を供給してＮＤフィルタ５０３の制御を行い、上記タイミングジェネレータ５０７に対し、シャッタコントロール信号を供給することにより、タイミングジェネレータ５０７からＣＣＤ５０４、５０５及び５０６に対してＣＣＤドライブコントロール信号を供給してシャッタ制御を行う。
【０３０３】
また、上記コントローラ５８０は、ブラックセット及びブラックシェーディング信号を、Ｄ−Ａコンバータ５１４を介して、加算回路５１１、５１２及び５１３に夫々供給し、ゲインコントロール信号を、Ｄ−Ａコンバータ５２４を介して、利得制御増幅回路５２１、５２２及び５２３に夫々供給し、ホワイトシェーディングコントロール信号を、Ｄ−Ａコンバータ５２８を介して、乗算回路５２５、５２６及び５２７に夫々供給し、フレアコントロール信号を、Ｄ−Ａコンバータ５３２を介して加算回路５２９、５３０及び５３１に夫々供給し、プリ・ニー・コントロール信号を、Ｄ−Ａコンバータ５３６を介して、プリ・ニー回路５３３、５３４及び５３５に夫々供給する。
【０３０４】
また、上記コントローラ５８０は、Ａ−Ｄコンバータ５４０、５４１及び５４２からの出力データが、シェーディング検出回路５４３において検出された結果得られるシェーディングデータを、制御用として受け付ける。
【０３０５】
また、上記コントローラ５８０は、ディテールコントロール信号を、輪郭補正信号生成回路５５０に供給する。これにより、輪郭補正信号生成回路５５０は、加算回路５６５、５６６及び５６７に対し、夫々ディテールデータを供給する。また、上記コントローラ５８０は、マトリクスコントロール信号を、リニアマトリクス回路５５２に供給し、ペデスタル（ブラック）コントロール信号を、加算回路５５３、５５４及び５５５に夫々供給し、ブラックガンマコントロール信号を、ブラックガンマ補正回路５５６、５５７及び５５８に夫々供給し、ニーコントロール信号を、ニー補正回路５５９、５６０及び５６１に夫々供給し、ガンマコントロール信号をガンマ補正回路５６２、５６３及び５６４に夫々供給し、ブラック／ホワイトクリップコントロール信号を、ブラック／ホワイトクリップ回路５６８、５６９及び５７０に夫々供給する。
【０３０６】
Ｗ．図３に示したカメラの音声系の構成の説明（図２９参照）
【０３０７】
図２９は、図３に示したカメラ１０００の音声系の内部構成例を示す構成図である。
【０３０８】
この図３に示す音声系は、図３に示したマイクロフォン８５０及びラインからの入力音声信号の処理系ＭＩＣ／ＬＩＮＥ、図３に示した制御器１２００−１、・・・・１２００−ｎからの第１の入力音声信号の処理系ＩＮＣＯＭ−１、第２の入力音声信号の処理系ＩＮＣＯＭ−２、第３の入力音声信号の処理系Ｔｒａｃｋｅｒ、図３に示した制御器１２００−１、・・・・１２００−ｎに対する第１の出力音声信号の処理系ＩＮＣＯＭ−１、第２の出力音声信号の処理系ＩＮＣＯＭ−２及び第３の出力音声信号の処理系Ｔｒａｃｋｅｒ、図３に示す回路においてプログラムされ、図３に示した制御１２００−１、・・・・１２００−ｎに対する第１のプログラム出力音声信号の出力系ＰＧＭ−１、第２のプログラム出力音声信号の出力系ＰＧＭ−２及び第３のプログラム出力音声信号の出力系ＰＧＭ−３、マトリクス回路６１２、パラレル／シリアル変換回路６１３、６２５、６２７、シリアル／パラレル変換回路６２６、６２８、６１４、エンコーダ６０６０及びデコーダ６２４とを有する。
【０３０９】
上記入力音声信号の処理系ＮＩＣ／ＬＩＮＥは、入力端子６０１を介して図３に示したマイクロフォン８５０若しくはラインからの入力音声信号を増幅する増幅回路６０３、入力端子６０２を介して図３に示したマイクロフォン８５０若しくはラインからの入力音声信号を増幅する増幅回路６０４、これらからの出力を夫々ディジタル音声信号に変換するＡ−Ｄコンバータ６０５とを有する。
【０３１０】
上記第１の入力音声信号の処理系ＩＮＣＯＭ−１は、入力端子６０８を介して図３に示した制御器１２００−１、・・・・１２００−ｎから供給される第１の入力音声信号を増幅する増幅回路６０９、この増幅回路６０９の出力を、ディジタル音声信号に変換するＡ−Ｄコンバータ６１０、このＡ−Ｄコンバータ６１０の出力をパラレルディジタル音声信号に変換するシリアル／パラレル変換回路６１１とを有する。
【０３１１】
上記第２の入力音声信号の処理系ＩＮＣＯＭ−２は、入力端子６１５を介して図３に示した制御器１２００−１、・・・・１２００−ｎから供給される第２の入力音声信号を増幅する増幅回路６１６、この増幅回路６１６の出力を、ディジタル音声信号に変換するＡ−Ｄコンバータ６１７、このＡ−Ｄコンバータ６１７の出力をパラレルディジタル音声信号に変換するシリアル／パラレル変換回路６１８とを有する。
【０３１２】
上記第３の入力音声信号の処理系ＩＮＣＯＭ−３は、入力端子６１９を介して図３に示した制御器１２００−１、・・・・１２００−ｎから供給される第３の入力音声信号を増幅する増幅回路６２０、この増幅回路６２０の出力を、ディジタル音声信号に変換するＡ−Ｄコンバータ６２１、このＡ−Ｄコンバータ６２１の出力をパラレルディジタル音声信号に変換するシリアル／パラレル変換回路６２２とを有する。
【０３１３】
上記第１の出力音声信号の処理系ＩＮＣＯＭ−１は、マトリクス回路６１２からのパラレルディジタル音声信号を、シリアルディジタル音声信号に変換するパラレル／シリアル変換回路６２９、この出力をアナログ信号に変換するＤ−Ａコンバータ６３０、このＤ−Ａコンバータ６３０からの一方の出力音声信号を増幅し、出力端子６３２を介して、図３に示した制御器１２００−１、・・・・１２００−ｎに供給する増幅回路６３２とを有する。
【０３１４】
上記第２の出力音声信号の処理系ＩＮＣＯＭ−２は、マトリクス回路６１２からのパラレルディジタル音声信号を、シリアルディジタル音声信号に変換するパラレル／シリアル変換回路６３５、この出力をアナログ信号に変換するＤ−Ａコンバータ６３６、このＤ−Ａコンバータ６３６からの一方の出力音声信号を増幅し、出力端子６３８を介して、図３に示した制御器１２００−１、・・・・１２００−ｎに供給する増幅回路６３７とを有する。
【０３１５】
上記第３の出力音声信号の処理系Ｔｒａｃｋｅｒは、マトリクス回路６１２からのパラレルディジタル音声信号を、シリアルディジタル音声信号に変換するパラレル／シリアル変換回路６４１、この出力をアナログ信号に変換するＤ−Ａコンバータ６４２、このＤ−Ａコンバータ６４２からの一方の出力音声信号を増幅し、出力端子６４４を介して、図３に示した制御器１２００−１、・・・・１２００−ｎに供給する増幅回路６４３とを有する。
【０３１６】
上記第１のプログラム出力音声信号の処理系ＰＧＭ−１は、マトリクス回路６１２からのパラレルディジタル音声信号を、シリアルディジタル音声信号に変換するパラレル／シリアル変換回路６２９、この出力をアナログ信号に変換するＤ−Ａコンバータ６３０、このＤ−Ａコンバータ６３０からの一方の出力音声信号を増幅し、出力端子６３４を介して、図３に示した制御器１２００−１、・・・・１２００−ｎに供給する増幅回路６３３とを有する。
【０３１７】
上記第２のプログラム出力音声信号の処理系ＰＧＭ−２は、マトリクス回路６１２からのパラレルディジタル音声信号を、シリアルディジタル音声信号に変換するパラレル／シリアル変換回路６３５、この出力をアナログ信号に変換するＤ−Ａコンバータ６３６、このＤ−Ａコンバータ６３６からの一方の出力音声信号を増幅し、出力端子６４０を介して、図３に示した制御器１２００−１、・・・・１２００−ｎに供給する増幅回路６３９とを有する。
【０３１８】
上記第３のプログラム出力音声信号の処理系ＰＧＭ−２は、マトリクス回路６１２からのパラレルディジタル音声信号を、シリアルディジタル音声信号に変換するパラレル／シリアル変換回路６４１、この出力をアナログ信号に変換するＤ−Ａコンバータ６４２、このＤ−Ａコンバータ６４２からの一方の出力音声信号を増幅し、出力端子６４６を介して、図３に示した制御器１２００−１、・・・・１２００−ｎに供給する増幅回路６４５とを有する。
【０３１９】
また、マトリクス回路６１２においては、図２８に示したコントローラ５８０からの制御信号に基いて、シリアル／パラレル変換回路６１１、６１８及び６２２２からの３つの入力音声信号の混合処理、ＡＵＸ  ＩＮとしての入力端子６２３を介して入力され、デコーダ６２４によって映像信号のレートから音声信号のレートに変換され、更にシリアル／パラレル変換回路６２６及び６２８からの、上記ＩＮＣＯＭ−１及びＩＮＣＯＭ−２の音声信号、並びに上記ＰＧＭ−１及びＰＧＭ−２の音声信号の混合処理等が行われる。また、エンコーダ６０６においては、図２８に示したコントローラ５８０からの制御信号に基いて、Ａ−Ｄコンバータ６０５からの上記ＭＩＣ／ＬＩＮＥの音声信号、上記マトリクス回路６１２から出力され、パラレル／シリアル変換回路６１３においてシリアル信号に変換され、更にシリアル／パラレル変換回路６１４においてパラレル信号に変換された音声信号が、音声信号のレートから映像信号のレートに変換された後、ＡＵＸ  ＯＵＴとしての出力端子６０７から出力される。
【０３２０】
ここで、上記シリアル／パラレル変換回路６１１、６１８、６２２、６２６、マトリクス回路６１２、パラレル／シリアル変換回路６２９、６３５、６４１、６２５及び６２７は、集積化され、１つのＬＳＩで構成されている。また、上記シリアル／パラレル変換回路６１４、パラレル／シリアル変換回路６２５及び６２７、エンコーダ６０６並びにデコーダ６２４は、集積化され、１つのＬＳＩで構成されている。
【０３２１】
Ｘ．カメラセットアップシステムにおけるパラメータ設定画像の表示例の説明（図３０〜図８７参照）
【０３２２】
図３０〜図８７は、カメラセットアップシステムにおけるパラメータ設定画像の表示例を示す説明図である。特に必要な部分について説明する。尚、ボタン、スイッチ、スライドレバー、タイトル、数値表示用のエリアについては、図１３を参照して説明している。また、主要なパラメータの意味等についても、図８及び図１２を参照して説明している。
【０３２３】
〔図３０Ａ〕  シャッタのパラメータ設定画像の表示例を示す説明図である。
〔図３０Ｂ〕  フィルタのパラメータ設定画像の表示例を示す説明図である。
図において、破線内に示す数値は、スイッチ番号を選択したときに、どのような値となるか分かるようにするためのものである。この表示例では、スイッチ番号“１”と“Ａ”のスイッチが夫々選択されている。
〔図３１Ａ〕  テストパターン、バーズの設定画像の表示例を示す説明図である。
〔図３１Ｂ〕  オートセットアップの設定画像の表示例を示す説明図である。
図に示すように、オートセットアップに場合においては、ボタンの値が「ＳＴＡＲＴ」の場合に、そのタイトルで示されるパラメータが自動的にセットアップされる。また、その際、エリアＡｒ１には、カメラからの応答を示すデータ、例えばテストが正常に終了した場合に「ＣＯＭＰＬＥＴＥＤ」等の文字画像が表示される。
〔図３２Ａ〕  アイリスのパラメータ設定画像の表示例を示す説明図である。
この図に示す数値データ「Ｆ５．６」のＦ値の変換式は次の通りである。
Ｆ＝１３２．８×（０．１７５＾（ｉ／（０．３５×２＾ｍ）））
ｉ＝１６ビットデータ（０００Ｈでクローズ、ＦＦＦＨでオープン）
ｎ：ビット精度（１６ビット）
〔図３２Ｂ〕  マスター・ブラックのパラメータ設定画像の表示例を示す説明図である。
「ＡＢＳＯＬＵＴＥ（アブソリュート）」が「ＯＮ」で、絶対値、「ＯＦＦ」で相対値、でデータを扱う。絶対値、相対値の意味については、概要の欄で説明している。
また、「ＯＮ」のときには、スライドレバーや数値の表示を、０〜１００％の絶対値表示に変更する。
〔図３２Ｃ〕  マスター・ゲインのパラメータ設定画像の表示例を示す説明図である。
機種設定ファイルから機種毎のサポートゲインを設定する。これはＳＷデータである。
〔図３３〕  ニー・サテュレーションのパラメータ設定画像の表示例を示す説明図である。
「ＷＨＩＴＥ  ＣＬＩＰ（ホワイト・クリップ）」が「ＯＮ」でクリップがかかり、「ＯＦＦ」でクリップがかからない。
波形画像の各ポイントＰ１、Ｐ２及びＰ３の移動方向は、矢印で示す方向である。
〔図３４〕  ニー及びニー・サテュレーションのパラメータ設定画像の表示例を示す説明図である。
図に示すように、ポンティングデバイス３００のボタンを押圧しながら、ポインタＰｏを波形画像中の破線の丸で示すポイントＰ１、Ｐ２或いはＰ３に合わせ、この後、ポンティングデバイス３００を移動させることにより、夫々のポイントＰ１、Ｐ２、Ｐ３に実線の矢印で示すように、波形Ｌ１が変化する。そして、既に説明したが、スライドレバー等も連動して変化し、更に、スライドレバーの右側の数値表示用のエリア内の数値も連動して変化する。
また、ニーに対してのホワイトクリップ、ホワイトクリップに対してのニーは、夫々の状態をグラフ表示に反映させるようにする。
〔図３５〕
ニー及びニー・サテュレーションのパラメータ設定画像の表示例（サービス用）を示す説明図である。
〔図３６Ａ〕  マスター・Ｖ・モジュレーション・ソーのパラメータ設定画像の表示例を示す説明図である。
〔図３６Ｂ〕  ニーのパラメータ設定画像の表示例を示す説明図である。
「ＷＨＩＴＥ  ＣＬＩＰ（ホワイト・クリップ）」の右側のボタンのオン、オフにより、ニーの項目においても、ホワイト・クリップのオン、オフができるようにする。
〔図３７Ａ〕  ホワイト・クリップのパラメータ設定画像の表示例を示す説明図である。
この図においては、波形を出力するためのボタン（「ＷＡＶＥ  ＦＯＲＭ  ＞＞」）が、ポンティングデバイス３００のボタンのクリックによりオンとされていない。
「ＫＮＥＥ（ニー）」のボタンのオン、オフにより、ホワイト・クリップの項目でもニーのオン、オフができるようにする。
〔図３７Ｂ〕  波形をも表示した、ホワイト・クリップのパラメータ設定画像の表示例を示す説明図である。
この図においては、波形を出力するためのボタン（「ＷＡＶＥ  ＦＯＲＭ  ＞＞」）が、ポインティングデバイス３００のボタンのクリックにより、オンとされている。よって、波形画像が表示されている。尚、ＫＰはニー・ポイント、ＷＣ  ＯＦＦはホワイトクリップオフである。この図に示すように、タイトル「ＫＮＥＥ（ニー）」のボタンは「ＯＦＦ（オフ）」となっている。このボタンが「ＯＮ（オン）」とされた場合には、矢印で示す波形画像の破線部分のようにニーポイントを越えるレベルに対する調整が行われる。
〔図３８Ａ〕  ディテール・レベルのパラメータ設定画像の表示例を示す説明図である。
〔図３８Ｂ〕  波形をも表示した、ディテール・レベルのパラメータ設定画像の表示例を示す説明図である。
図に示すように、ポイントＰをポンティングデバイス３００により、実線の矢印で示す方向に動かすことにより、ディテールのレベルの調整を行うことができる。但し、波形画像の底部に破線で示すように、幅は変更できない。
尚、中間の破線と破線の間の大きさがディテールのレベルとされる。０％でレベル０％、１００％でレベル１００％である。
〔図３９Ａ〕  レシオのパラメータ設定画像の表示例を示す説明図である。
「Ｈ／Ｖ  ＲＡＴＩＯ（Ｈ／Ｖ  レシオ）」は、全体を１００％として、スライドレバーによりＨ及びＶを分割し、夫々何％かを表示する。±９９％の相対値表示の場合には、全体を−９９〜０〜９９とし、Ｈ、Ｖの％による表示をなくし、他のスライドレバーと同様に相対値表示を行う。
「Ｈ／Ｖ  ＲＡＴＩＯ（Ｈ／Ｖ  レシオ）」は、±９９の相対値表示の場合があり、１００％に向かう程、高くなる。
〔図３９Ｂ〕  ガンマ・ミックス・レシオのパラメータ設定画像の表示例を示す説明図である。
〔図４０〕
波形をも表示した、ガンマ・ミックス・レシオのパラメータ設定画像の表示例を示す説明図である。
スライドレバーの上部に「ＰＲＥ」、「ＰＯＳＴ」と表示されている。この場合、「ＰＲＥ」が「１００％」、即ち、ガンマ・ミックスの前後比を前に１００％としているので、破線の楕円で示すように、ビデオレベルが低い場合、高い場合の何れにおいても、同程度のディテール量となる。
また、スライドレバーの表示状態は、相対値表示の場合である。
0003971465.tif 000002
〔図４１〕
波形をも表示した、ガンマ・ミックス・レシオのパラメータ設定画像の表示例を示す説明図である。
この場合「ＰＯＳＴ」が「１００％」、即ち、ガンマ・ミックスの前後比を後ろに１００％としているので、破線の楕円で示すように、ビデオレベルが低い場合には、ディテール量が小さくなり、高い場合には、ディテール量が大きくなる。
〔図４２〕
Ｒ、Ｇ、Ｂミックスのパラメータ設定画像の表示例を示す説明図である。
「Ｈ−ＤＴＬ」の「ＭＩＸ  ＲＡＴＩＯ（ミックス・レシオ）」のスライドレバーにおいて、Ｇの５０％は固定値、残りの部分をＲとＢをレバーにより分割し、夫々何％かを表示する。
〔図４３Ａ〕  スリム・ディテールのパラメータ設定画像の表示例を示す説明図である。
「Ｖ−ＤＴＬ」の「Ｖ−ＤＴＬ  ＭＯＤＥ」の２つのボタンの内、この表示状態とは逆に、「ＮＡＭ」を選択しているときには、ミックス・レシオは無関係なので、データの変更ができないようにする。
また、この下に表示されているスライドレバーにおいては、図に示すように、２本のレバーを表示するようにし、これによって、Ｒ、Ｇ及びＢを分割し、夫々が何％かを表示する。このレバー表示は、Ｒ：ＢとＲＢ：Ｇの比を表している。従って、Ｒ：Ｂを変更する場合には、ＲＢ：Ｇのレバーは動かないが、ＲＢ：Ｇのレバーを動かすときには、Ｒ：Ｂが同一比で動くことになるので、Ｒ：Ｂのバーも連動して動くことになる。
〔図４３Ｂ〕  波形をも表示した、スリム・ディテールのパラメータ設定画像の表示例を示す説明図である。
この波形画像上に示している実線の矢印で示す幅をＳＬＩＭ  ＲＡＴＩＯ（スリム・レシオ）とし、ディテール波形のセンターを中心としてディテールの幅が細くなる。
〔図４３Ｃ〕  スラント・ディテールのパラメータ設定画像の表示例を示す説明図である。
破線の領域内に示される数値データが、０％で斜め方向のディテールが付かない。１００％で斜め方向に調整いっぱいのディテールが付く。尚、±９９の相対値表示の場合も有る。
〔図４４Ａ〕  Ｈリミッタのパラメータ設定画像の表示例を示す説明図である。
〔図４４Ｂ〕  波形をも表示した、Ｈリミッタのパラメータ設定画像の表示例を示す説明図である。
図４４Ａに示すパラメータ設定画像上において、波形表示用のボタンを、ポンティングデバイス３００によりオンとした場合の表示例である。この図に示すように、ポインタＰ１若しくはＰ２の位置でポンティングデバイス３００のボタンを押圧し、この後、矢印で示す方向に移動させることにより、水平方向のホワイトレベルの幅Ｗ若しくはブラックレベルの幅Ｂを可変することができる。勿論、これに連動して、スライドレバーの表示状態、数値も変更される。
「ＭＡＳＴＥＲ  ＬＥＶＥＬは」は、接続するカメラの種類によって使用できない場合もあるので、その場合には、例えばこの項目を表示しないようにするか、或いは網かけ等により表示上においてマスクして、アクセスできないようにする。
スライドレバーにおいては、±９９の相対値データの場合がある。このとき、＋でリミットがかけられる方向、−でリミットがかけられる方向となる。
また、リミットレベルが０％の場合はリミットをかけず、よってディテールはディテールレベルにしたがって最大まで付けることができる。
一方、リミットレベルが１００％の場合はリミットが最大であり、よってディテールは付かない。
〔図４５Ａ〕  Ｖリミッタのパラメータ設定画像の表示例を示す説明図である。
〔図４５Ｂ〕  波形をも表示した、Ｖリミッタのパラメータ設定画像の表示例を示す説明図である。
図４５Ａに示すパラメータ設定画像上において、波形表示用のボタンを、ポンティングデバイス３００によりオンとした場合の表示例である。この図に示すように、ポインタＰ１若しくはＰ２の位置でポンティングデバイス３００のボタンを押圧し、この後、矢印で示す方向に移動させることにより、垂直方向のホワイトレベルの幅Ｗ若しくはブラックレベルの幅Ｂを可変することができる。勿論、これに連動して、スライドレバーの表示状態、数値も変更される。
〔図４６〕
ニー・アパーチャのパラメータ設定画像の表示例を示す説明図である。
〔図４７〕
波形をも表示した、ニー・アパーチャのパラメータ設定画像の表示例を示す説明図である。
「ＫＮＥＥ」のボタンがオフのときには、ＫＰ（ニー・ポイント）の表示が消えて、波形画像が、リニアなステップ波形画像となる。ディテールの付き方もＨ、Ｖ、ブラック、ホワイトのディテールレベルは×１．０となる。ニーのボタンがオンのときに、「ＫＮＥＥ  ＡＰＥＲＴＵＲＥ（ニー・アパーチャ）」のボタンがオフの場合には、ニー・ポイントよりも上のステップにニーがかかるが、ディテールレベルは×１．０のままで固定となる。
スライドレバー、または数値表示の変更により、データを設定することができる。波形画像は既に説明しているように、スライドレバーに連動して変化するが、波形画像を動かして設定の変更は、これに限りできないものとする。
レベルは、×１．０でニー・ポイントより下のディテールと同レベル、×２．０でニー・ポイントより下のディテールの倍、×０でニー・ポイントより下のディテールがなくなる。
破線の楕円で示す波形部分において、ニー・ポイントから上のレベルのディテールにるいて、ブラック、ホワイトのディテール・レベルの調整をする。
波形画像の下方に表示されている「Ｈ」、「Ｖ」のボタン（「Ｈ」が選択されている）は、表示する波形画像を、Ｈ、Ｖの何れか一方の波形画像に切り換えるボタンである。
〔図４８〕
波形をも表示した、ニー・アパーチャのパラメータ設定画像の表示例を示す説明図である。
〔図４９Ａ〕  レベル・ディペンドのパラメータ設定画像の表示例を示す説明図である。
〔図４９Ｂ〕  波形をも表示した、レベル・ディペンドのパラメータ設定画像の表示例を示す説明図である。
波形画像上に示されているポイントＰ１を矢印で示すように動かした場合はゲインが変更され、ポイントＰ２を矢印で示すように動かした場合は、「ＡＲＥＡ（エリア）」が変更され、そのときに、破線の楕円で示す範囲の波形画像が、連動して移動する。
〔図５０〕
波形をも表示した、レベル・ディペンドのパラメータ設定画像の表示例（サービス用）を示す説明図である。詳細は、「ＴＲＡＮＳ（トランス）」以外は図４９と同様である。このトランスは、エリアとトランスのポイント間の幅を変更する。
〔図５１〕
クリスペニングのパラメータ設定画像の表示例を示す説明図である。
〔図５１Ａ〕  クリスペニングのパラメータ設定画像の表示例を示す説明図である。
〔図５１Ｂ〕  波形をも表示した、クリスペニングのパラメータ設定画像の表示例を示す説明図である。
〔図５２〕
波形をも表示した、クリスペニングのパラメータ設定画像の表示例（サービス用）を示す説明図である。
波形画像のポインタＰ１を矢印で示す方向に動かすとレベルが変更される。
〔図５３〕
スキン・トーンのパラメータ設定画像の表示例を示す説明図である。
「ＰＨＡＳＥ（フェーズ）」は、０〜３６０度の間で変更可能である。
〔図５４〕
スキン・トーンのパラメータ設定画像の表示例を示す説明図である。
〔図５５〕
波形をも表示した、スキン・トーンのパラメータ設定画像の表示例を示す説明図である。
「ＳＫＩＮ  ＴＯＮＥ１」と「ＳＫＩＮ  ＴＯＮＥ２」の内、ボタンがオンの方についての設定が可能となる。
〔図５６〕
波形をも表示した、スキン・トーンのパラメータ設定画像の表示例を示す説明図である。
「ＷＩＤＴＨ（ワイド）」は、フェーズの幅である。
〔図５７〕
ディテール・エリアのパラメータ設定画像の表示例を示す説明図である。
〔図５７Ａ〕  波形をも表示した、ディテール・エリアのパラメータ設定画像の表示例を示す説明図である。
〔図５７Ｂ〕  波形をも表示した、ディテール・エリアのパラメータ設定画像の表示例を示す説明図である。
〔図５８〕
ブラックのパラメータ設定画像の表示例を示す説明図である。
〔図５８Ａ〕  ブラックのパラメータ設定画像の表示例を示す説明図である。
〔図５８Ｂ〕  波形をも表示した、ブラックのパラメータ設定画像の表示例を示す説明図である。
〔図５９〕
ホワイトのパラメータ設定画像の表示例を示す説明図である。
〔図６０〕
波形をも表示した、ホワイトのパラメータ設定画像の表示例を示す説明図である。
「ＡＢＳＯＬＵＴＥ（アブソリュート）」のボタンがオンの場合には、絶対値、オフの場合には相対値としてデータが扱われる。
アブソリュートがオンの場合には、スライドレバーによる表示を、０〜１００％の表示とする。
〔図６１〕
ブラック・セットのパラメータ設定画像の表示例を示す説明図である。
〔図６２〕
フレアのパラメータ設定画像の表示例を示す説明図である。
〔図６３〕
マトリクスのパラメータ設定画像の表示例を示す説明図である。
〔図６４〕
波形をも表示した、マトリクスのパラメータ設定画像の表示例を示す説明図である。
〔図６５Ａ〕
マトリクスの説明に供する説明図である。
タイトル「ＭＡＴＲＩＸ（マトリクス）」が「ＯＦＦ」、「ＣＯＮＴＯＲＯＬ（コントロール）」が「ＯＦＦ」で、輝度Ｙ、色差Ｒ−Ｙ、Ｂ−Ｙの式で求められたデフォルト（補正係数なし）のポイント（波形画像中の“×”）を表示する。
マトリクスがオフ、コントロールがオンの場合には、デフォルトの状態に対してａからｆの値を設定（上乗せ）し、Ｒ’、Ｇ’、Ｂ’を求め、これをＹ、Ｒ−Ｙ、Ｂ−Ｙに代入し、求めたポイントを表示する。
マトリクスがオン、コントロールがオフで、ハード的にデフォルト設定してある係数でＲ’、Ｇ’、Ｂ’を求め、Ｙ、Ｒ−Ｙ、Ｂ−Ｙに代入し、求めたポイントを表示する。
マトリクスがオン、コントロールがオンの場合には、ハード的にデフォルト設定してある係数に対して、ａからｆの値を設定（上乗せ）し、Ｒ’、Ｇ’、Ｂ’を求め、これをＹ、Ｒ−Ｙ、Ｂ−Ｙに代入し、求めたポイントを表示する。
Ｙ＝０．５８７Ｇ＋０．２９９Ｒ＋０．１１４Ｂ
Ｒ−Ｙ＝−０．５８７Ｇ＋０．７０１Ｒ−０．１１４Ｂ
Ｂ−Ｙ＝−０．５８７Ｇ−０．２９９Ｒ＋０．８８６Ｂ
Ｒ’＝Ｒ＋ａ（Ｇ−Ｒ）＋ｂ（Ｂ−Ｒ）
Ｇ’＝Ｇ＋ｃ（Ｒ−Ｇ）＋ｄ（Ｂ−Ｇ）
Ｂ’＝Ｂ＋ｅ（Ｒ−Ｂ）＝ｆ（Ｇ−Ｂ）
ａ＝（Ｇ−Ｒ）Ｒの値
ｂ＝（Ｂ−Ｒ）Ｒの値
ｃ＝（Ｒ−Ｇ）Ｇの値
ｄ＝（Ｂ−Ｇ）Ｇの値
ｅ＝（Ｒ−Ｂ）Ｂの値
ｆ＝（Ｇ−Ｂ）Ｂの値
ａからｆの係数を設定し、Ｒ’、Ｇ’、Ｂ’を求め、これをＹ、Ｒ−Ｙ、Ｂ−Ｙに代入し、ベクタ上でのポイントを求める。
表示ポイントは、カラーバー８色の内、グレーとブラックを除く以下の６色とし、Ｙ、Ｒ−Ｙ、Ｂ−Ｙの式にＲ、Ｇ、Ｂ（上乗せの場合はＲ’、Ｇ’、Ｂ’）を代入して、Ｒ−Ｙ、Ｂ−Ｙの値を計算し、ベクタ上に各ポイントを表示する。
イエロー（Ｙ）、シアン（ＣＹ）、グリーン（Ｇ）、マゼンダ（Ｍ）、レッド（Ｒ）、ブルー（Ｂ）
ベクタ表示のときには、Ｒ−ＹについてはＲ−Ｙ／１．１４、Ｂ−ＹについてはＢ−Ｙ／２．０３として計算して表示する。
〔図６５Ｂ〕  マトリクスオフ時の状態を示す説明図である。
〔図６６Ａ〕  ガンマのパラメータ設定画像の表示例を示す説明図である。
「ＣＯＵＲＳＥ（コース）」のスイッチは、ガンマカーブの選択用である。また、スライドレバーによる調整は、選択されたガンマカーブに上乗せを行う。
〔図６６Ｂ〕  波形をも表示した、ガンマのパラメータ設定画像の表示例を示す説明図である。
「ＣＯＵＲＳＥ（コース）」のスイッチは、ガンマカーブの選択用である。また、「ＧＡＭＭＡ（ガンマ）」のボタンがオフの場合には、波形画像の波形がリニアな直線となる。ポイントＰは、矢印で示すように、波形に対して垂直に動く。
〔図６７〕
ブラック・ガンマのパラメータ設定画像の表示例を示す説明図である。
〔図６７Ａ〕  ブラック・ガンマのパラメータ設定画像の表示例を示す説明図である。
〔図６７Ｂ〕  波形をも表示した、ブラック・ガンマのパラメータ設定画像の表示例を示す説明図である。
〔図６８〕
波形をも表示した、ニー、ホワイト・クリップ、ガンマ、ブラック・ガンマのパラメータ設定画像の表示例を示す説明図である。
Ｍ、Ｒ、Ｇ及びＢのボタンは、どの信号に対する設定なのかを選択するものである。
また、「ＭＩＸ」を選択しているときには、右側のタイトルに対応する機能がミックスされた状態で波形画像が表示される。
〔図６９〕
波形をも表示した、ニー、ホワイト・クリップ、ガンマ、ブラック・ガンマのパラメータ設定画像の表示例を示す説明図である。図６８と同様である。
〔図７０〕
ブラック・シェーディングＨのパラメータ設定画像の表示例を示す説明図である。
「ＡＵＴＯ  ＢＬＡＣＫ  ＳＨＡＤＩＮＧ（オート・ブラック・シェーディング）」のボタンは、オート・セットアップと同じ扱いである。
〔図７１〕
ブラック・シェーディングＶのパラメータ設定画像の表示例を示す説明図である。
〔図７２〕
波形をも表示した、ブラック・シェーディングＨ／Ｖのパラメータ設定画像の表示例を示す説明図である。
Ｈ、Ｖ、Ｒ、Ｇ、Ｂは、どの項目について設定するのかを選択するためのものである。
〔図７３〕
ホワイト・シェーディングＨのパラメータ設定画像の表示例を示す説明図である。
「ＥＸＴＥＮＤＥＲ（エクステンダー）」のボタンは、レンズ系からの情報を得ているかを示すための表示用であり、設定用ではない。
〔図７４〕
ホワイト・シェーディングＨのパラメータ設定画像の表示例を示す説明図である。
〔図７５〕
波形をも表示した、ホワイト・シェーディングＨ／Ｖのパラメータ設定画像の表示例を示す説明図である。
「ＥＸＴＥＮＤＥＲ（エクステンダー）」のボタンはステータス表示のみである。
〔図７６Ａ〕  Ｖモジュレーション・シェーディングのパラメータ設定画像の表示例を示す説明図である。
〔図７６Ｂ〕  波形をも表示した、Ｖモジュレーション・シェーディングのパラメータ設定画像の表示例を示す説明図である。
Ｍ、Ｒ、Ｇ及びＢの選択は表示波形の切り換えのためのボタンである。
〔図７７Ａ〕  トランスミットのパラメータ設定画像の表示例を示す説明図である。
〔図７７Ｂ〕  マイク／ラインのパラメータ設定画像の表示例を示す説明図である。
〔図７８〕
マイク／ラインのパラメータ設定画像の表示例を示す説明図である。
「ＩＮＰＵＴ  ＳＥＬＥＣＴ（インプット・セレクト）」で「ＬＩＮＥ」が選択されているときには、「ＰＯＷＥＲ  ＳＥＬＥＣＴ（パワー・セレクト）」は、未使用なので、図に示すようにマスクされる。
〔図７９〕
インカムのパラメータ設定画像の表示例を示す説明図である。
〔図８０〕
トラッカー及びエクスターナル・コマンドのパラメータ設定画像の表示例を示す説明図である。
〔図８０Ａ〕  トラッカーのパラメータ設定画像の表示例を示す説明図である。
〔図８０Ｂ〕  エクスターナル・コマンドのパラメータ設定画像の表示例を示す説明図である。
〔図８１〕
グラフをも表示した、ＮＴＳＣの場合のマトリクス（ミックス）のパラメータ設定画像の表示例を示す説明図である。
図において“●”部分がミックスしている音声データを示しており、“○”の部分が、ミックスが可能であるが、現時点ではミックスされていないことを示している。尚、この図に示す「ＩＮＣＯＭ−１」、「ＩＮＣＯＭ−２」、「ＩＮＣＯＭ１」、「ＩＮＣＯＭ２」、「ＴＲＡＣＫＥＲ」、「ＰＧＭ」は、図２９の説明において使用いた符号が示す音声信号と同じものを示す。この「Ｍａｔｒｉｘ」は、図２９に示したマトリクス回路における処理であり、その制御は、コンピュータ１００の画面上において、この図８１以降のパラメータ設定画像での設定内容により、図２８に示したコントローラ５８０によって行われる。
Ａ〜Ｅまでのボタンは、選択により、「ＯＵＴＰＵＴ  ＡＵＤＩＯ」の各項目の括弧内の英文字に対応し、各ミックスレベルの設定用である。出力系統を選択することにより、それに関してのミックス比の選択を行う。
図において下方に示されているスイッチ群の設定について説明すると、ミックスしないポイントについては“０”が選択される。ＰＧＭ−１、ＰＧＭ−２及びＰＧＭ−３でＰＧＭがミックスされていれば、ＩＮＣＯＭ−、ＩＮＣＯＭ−２、ＴＲＡＣＫＥＲではＰＧＭがミックスされない。
〔図８２〕
グラフをも表示した、ＮＴＳＣの場合のマトリクス（ミックス）のパラメータ設定画像の表示例を示す説明図である。
図において上部に示すマトリクスの波形画像において、ＰＧＭはどちらかがミックスオンならもう一方はオフである。
また、「Ａ：ＰＧＭ  ＳＥＬＥＣＴ」、「Ｂ：ＰＧＭ  ＳＥＬＥＣＴ」、「Ｃ：ＰＧＭ  ＳＥＬＥＣＴ」のスイッチは、ミックスするＰＧＭの種類の選択を行うためのものである。
下方に示されているスライドレバーは、各出力レベルの設定を行うためのものである。
〔図８３〕
グラフをも表示した、ＰＡＬの場合のマトリクス（ミックス）のパラメータ設定画像の表示例を示す説明図である。
〔図８４〕
グラフをも表示した、ＰＡＬの場合のマトリクス（ミックス）のパラメータ設定画像の表示例を示す説明図である。
〔図８５〕
グラフをも表示した、ＰＡＬの場合のマトリクス（ミックス）のパラメータ設定画像の表示例を示す説明図である。
〔図８６〕
メモリアクセス処理用の表示例を示す説明図である。
ディジタル  ＬＳＩのポートデータ及びメモリ（カメラやＣＣＵの）に対し、直接データを設定したり、チェックのためのデータを抽出するための項目である。この項目は、パラメータ設定のアプリケーションとは別アプリケーションとして存在する。
ここで設定可能な対象データは、
ＬＳＩポートのデータ設定、Ｉ／Ｏポートのデータ設定、ＥＥＰＲＯＭサービスデータの設定、ガンマテーブルのデータ設定、その他、指定メモリについてのデータ設定等である。
〔図８７〕
ＬＳＩのポート設定用の表示例を示す説明図である。
設定データの変更は、各アドレス（左側の数値）に対して直接データを書き換えることにより行う。但し、上下のアップ／ダウンボタンの付いているアドレスに関しては、そのアドレスのデータは連続可変によりコントロールすることができるデータを示し、アップ／ダウンボタンにより、“００”〜“ＦＦ”の間をデータが連続可変できるようにする。このウインドウ画像は、ＬＳＩ毎に存在する。
【０３２４】
〔実施例の効果〕
以上説明したように、本例においては、グラフィカル・ユーザー・インターフェースを用いて、カメラやＣＣＵのセットアップを行うようにしたので、オペレータに対して操作し易い環境を与えることによって、セットアップの効率を向上させると共に、セットアップを正確、且つ、確実に行うことができるという効果がある。
〔第２実施例〕
尚、上記実施例においては、パラメータデータをコンピュータ１００からカメラやＣＣＵに供給する場合を中心に説明したが、上記図３０〜図８７の表示例中にも、また、上記実施例における説明にもあるように、パラメータデータをそのままカメラやＣＣＵに供給せずに、コンピュータ１００のパラメータ設定用ウインドウ上において変更した変化分、即ち、相対値データのみをパラメータデータとしてカメラやＣＣＵに供給する場合も、カメラやＣＣＵにおける応答性や映像の変化の度合いから見て有利である。
【０３２５】
【発明の効果】
上述せる本発明によれば、入力情報に応じて、パラメータ変更用スイッチ画像の表示状態を変化させ、上記入力情報に応じて、設定状態表示用画像を変化させ、更に、パラメータデータを変更し、変更後のパラメータ若しくは変化分を、被制御装置に伝送し、被制御装置のセットアップを行うので、セットアップの効率を向上させると共に、セットアップを正確、且つ、確実に行うことができるという効果がある。
【０３２６】
また上述せる本発明によれば、入力手段による入力情報に応じて、表示手段に表示されているパラメータ変更用スイッチ画像の表示状態、及び設定状態表示用画像の表示状態、上記パラメータの値を夫々変更すると共に、変更後のパラメータデータ若しくは変化分を被制御装置に伝送し、被制御装置のセットアップを行うので、セットアップの効率を向上させると共に、セットアップを正確、且つ、確実に行うことができるという効果がある。
【図面の簡単な説明】
【図１】本発明電子機器のセットアップ方法及びそのシステムの一実施例の概要を説明するための電子機器のセットアップシステムの構成図である。
【図２】図１に示した電子機器のセットアップシステムの動作を説明するためのフローチャートである。
【図３】本発明電子機器のセットアップ方法及びそのシステムが適用されるカメラセットアップシステムの構成例を示すシステム構成図である。
【図４】図３に示したコンピュータ１００の内部構成例を示す構成図である。
【図５】図４に示したコンピュータのメインルーチンによる動作を説明するためのフローチャートである。
【図６】図４に示したオペレーティングシステムによる初期画像例を示す説明図である。
【図７】図６に示したカメラセットアップシステムが起動されて最初に表示される接続構成ウインドウの一例を示す説明図である。
【図８】パラメータのアイコンウインドウの一例を示す説明図である。
【図９】図７に示した接続構成ウインドウのメニューバーにより表示することのできるメインのプルダウンメニューの一例を示す説明図である。
【図１０】図９に示したプルダウンメニューから更に表示することのできるプルダウンメニュー（ＣＨＵ：カメラ・ヘッド・ユニット側）の一例を示す説明図である。
【図１１】図９に示したプルダウンメニューから更に表示することのできるプルダウンメニュー（ＣＨＵ：カメラ・ヘッド・ユニット側）の一例を示す説明図である。
【図１２】図９に示したプルダウンメニューから更に表示することのできるプルダウンメニュー（ＣＣＵ：カメラ・コントロール・ユニット側）の一例を示す説明図である。
【図１３】図８に示したパラメータアイコンウインドウ若しくは図９に示したプルダウンメニューから表示することのできるパラメータ設定用ウインドウの基本を説明するための説明図である。
【図１４】図４に示したコンピュータによる、カメラセットアップシステムのメイン処理を示すフローチャートである。
【図１５】図４に示したコンピュータによる、カメラセットアップシステムのメイン処理を示すフローチャートである。
【図１６】図４に示したコンピュータによる、カメラセットアップシステムのメイン処理を示すフローチャートである。
【図１７】図１６に示したセットアップ処理を説明するためのフローチャートである。
【図１８】図１６に示したセットアップ処理を説明するためのフローチャートである。
【図１９】図１７に示したスイッチによる変更処理を説明するためのフローチャートである。
【図２０】図１８に示したスライドレバーによる変更処理を説明するためのフローチャートである。
【図２１】図１８に示した数値による変更処理を説明するためのフローチャートである。
【図２２】図１８に示した波形による変更処理を説明するためのフローチャートである。
【図２３】図４に示したコンピュータにおいて用いる伝送用のフォーマット及び各種ファイルのファイルフォーマットの一例を示す説明図である。
【図２４】図３に示したデータ変換器の内部構成例を示す構成図である。
【図２５】図２４に示したデータ変換器の制御動作を説明するためのフローチャートである。
【図２６】図２４に示したデータ変換器の制御動作を説明するためのフローチャートである。
【図２７】図２４に示したデータ変換器の制御動作を説明するためのフローチャートである。
【図２８】図３に示したカメラの映像系の内部構成例を示す構成図である。
【図２９】図３に示したカメラの音声系の内部構成例を示す構成図である。
【図３０】シャッタ及びフィルタのパラメータ設定画像の表示例を示す説明図である。
〔図３０Ａ〕  シャッタのパラメータ設定画像の表示例を示す説明図である。
〔図３０Ｂ〕  フィルタのパラメータ設定画像の表示例を示す説明図である。
【図３１】テストパターン、バーズ、オートセットアップの設定画像の表示例を示す説明図である。
〔図３１Ａ〕  テストパターン、バーズの設定画像の表示例を示す説明図である。
〔図３１Ｂ〕  オートセットアップの設定画像の表示例を示す説明図である。
【図３２】アイリス、マスター・ブラック、マスター・ゲインの各パラメータ設定画像の表示例を示す説明図である。
〔図３２Ａ〕  アイリスのパラメータ設定画像の表示例を示す説明図である。
〔図３２Ｂ〕  マスター・ブラックのパラメータ設定画像の表示例を示す説明図である。
〔図３２Ｃ〕  マスター・ゲインのパラメータ設定画像の表示例を示す説明図である。
【図３３】ニー・サテュレーションのパラメータ設定画像の表示例を示す説明図である。
【図３４】ニー及びニー・サテュレーションのパラメータ設定画像の表示例を示す説明図である。
【図３５】ニー及びニー・サテュレーションのパラメータ設定画像の表示例（サービス用）を示す説明図である。
【図３６】マスター・Ｖ・モジュレーション及びニーのパラメータ設定画像の表示例を示す説明図である。
〔図３６Ａ〕  マスター・Ｖのパラメータ設定画像の表示例を示す説明図である。
〔図３６Ｂ〕  ニーのパラメータ設定画像の表示例を示す説明図である。
【図３７】ホワイト・クリップのパラメータ設定画像の表示例を示す説明図である。
〔図３７Ａ〕  ホワイト・クリップのパラメータ設定画像の表示例を示す説明図である。
〔図３７Ｂ〕  波形をも表示した、ホワイト・クリップのパラメータ設定画像の表示例を示す説明図である。
【図３８】ディテール・レベルのパラメータ設定画像の表示例を示す説明図である。
〔図３８Ａ〕  ディテール・レベルのパラメータ設定画像の表示例を示す説明図である。
〔図３８Ｂ〕  波形をも表示した、ディテール・レベルのパラメータ設定画像の表示例を示す説明図である。
【図３９】レシオ、ガンマ・ミックス・レシオのパラメータ設定画像の表示例を示す説明図である。
〔図３９Ａ〕  レシオのパラメータ設定画像の表示例を示す説明図である。
〔図３９Ｂ〕  ガンマ・ミックス・レシオのパラメータ設定画像の表示例を示す説明図である。
【図４０】波形をも表示した、ガンマ・ミックス・レシオのパラメータ設定画像の表示例を示す説明図である。
【図４１】波形をも表示した、ガンマ・ミックス・レシオのパラメータ設定画像の表示例を示す説明図である。
【図４２】Ｒ、Ｇ、Ｂミックスのパラメータ設定画像の表示例を示す説明図である。
【図４３】スリム・ディテール、スラント・ディテールのパラメータ設定画像の表示例を示す説明図である。
〔図４３Ａ〕  スリム・ディテールのパラメータ設定画像の表示例を示す説明図である。
〔図４３Ｂ〕  波形をも表示した、スリム・ディテールのパラメータ設定画像の表示例を示す説明図である。
〔図４３Ｃ〕  スラント・ディテールのパラメータ設定画像の表示例を示す説明図である。
【図４４】Ｈリミッタのパラメータ設定画像の表示例を示す説明図である。
〔図４４Ａ〕  Ｈリミッタのパラメータ設定画像の表示例を示す説明図である。
〔図４４Ｂ〕  波形をも表示した、Ｈリミッタのパラメータ設定画像の表示例を示す説明図である。
【図４５】Ｖリミッタのパラメータ設定画像の表示例を示す説明図である。
〔図４５Ａ〕  Ｖリミッタのパラメータ設定画像の表示例を示す説明図である。
〔図４５Ｂ〕  波形をも表示した、Ｖリミッタのパラメータ設定画像の表示例を示す説明図である。
【図４６】ニー・アパーチャのパラメータ設定画像の表示例を示す説明図である。
【図４７】波形をも表示した、ニー・アパーチャのパラメータ設定画像の表示例を示す説明図である。
【図４８】波形をも表示した、ニー・アパーチャのパラメータ設定画像の表示例を示す説明図である。
【図４９】レベル・ディペンドのパラメータ設定画像の表示例を示す説明図である。
〔図４９Ａ〕  レベル・ディペンドのパラメータ設定画像の表示例を示す説明図である。
〔図４９Ｂ〕  波形をも表示した、レベル・ディペンドのパラメータ設定画像の表示例を示す説明図である。
【図５０】波形をも表示した、レベル・ディペンドのパラメータ設定画像の表示例（サービス用）を示す説明図である。
【図５１】クリスペニングのパラメータ設定画像の表示例を示す説明図である。
〔図５１Ａ〕  クリスペニングのパラメータ設定画像の表示例を示す説明図である。
〔図５１Ｂ〕  波形をも表示した、クリスペニングのパラメータ設定画像の表示例を示す説明図である。
【図５２】波形をも表示した、クリスペニングのパラメータ設定画像の表示例（サービス用）を示す説明図である。
【図５３】スキン・トーンのパラメータ設定画像の表示例を示す説明図である。
【図５４】スキン・トーンのパラメータ設定画像の表示例を示す説明図である。
【図５５】波形をも表示した、スキン・トーンのパラメータ設定画像の表示例を示す説明図である。
【図５６】波形をも表示した、スキン・トーンのパラメータ設定画像の表示例を示す説明図である。
【図５７】ディテール・エリアのパラメータ設定画像の表示例を示す説明図である。
〔図５７Ａ〕  波形をも表示した、ディテール・エリアのパラメータ設定画像の表示例を示す説明図である。
〔図５７Ｂ〕  波形をも表示した、ディテール・エリアのパラメータ設定画像の表示例を示す説明図である。
【図５８】ブラックのパラメータ設定画像の表示例を示す説明図である。
〔図５８Ａ〕  ブラックのパラメータ設定画像の表示例を示す説明図である。
〔図５８Ｂ〕  波形をも表示した、ブラックのパラメータ設定画像の表示例を示す説明図である。
【図５９】ホワイトのパラメータ設定画像の表示例を示す説明図である。
【図６０】波形をも表示した、ホワイトのパラメータ設定画像の表示例を示す説明図である。
【図６１】ブラック・セットのパラメータ設定画像の表示例を示す説明図である。
【図６２】フレアのパラメータ設定画像の表示例を示す説明図である。
【図６３】マトリクスのパラメータ設定画像の表示例を示す説明図である。
【図６４】波形をも表示した、マトリクスのパラメータ設定画像の表示例を示す説明図である。
【図６５】マトリクスの説明に供する説明図である。
【図６６】ガンマのパラメータ設定画像の表示例を示す説明図である。
〔図６６Ａ〕  ガンマのパラメータ設定画像の表示例を示す説明図である。
〔図６６Ｂ〕  波形をも表示した、ガンマのパラメータ設定画像の表示例を示す説明図である。
【図６７】ブラック・ガンマのパラメータ設定画像の表示例を示す説明図である。
〔図６７Ａ〕  ブラック・ガンマのパラメータ設定画像の表示例を示す説明図である。
〔図６７Ｂ〕  波形をも表示した、ブラック・ガンマのパラメータ設定画像の表示例を示す説明図である。
【図６８】波形をも表示した、ニー、ホワイト・クリップ、ガンマ、ブラック・ガンマのパラメータ設定画像の表示例を示す説明図である。
【図６９】波形をも表示した、ニー、ホワイト・クリップ、ガンマ、ブラック・ガンマのパラメータ設定画像の表示例を示す説明図である。
【図７０】ブラック・シェーディングＨのパラメータ設定画像の表示例を示す説明図である。
【図７１】ブラック・シェーディングＶのパラメータ設定画像の表示例を示す説明図である。
【図７２】波形をも表示した、ブラック・シェーディングＨ／Ｖのパラメータ設定画像の表示例を示す説明図である。
【図７３】ホワイト・シェーディングＨのパラメータ設定画像の表示例を示す説明図である。
【図７４】ホワイト・シェーディングＨのパラメータ設定画像の表示例を示す説明図である。
【図７５】波形をも表示した、ホワイト・シェーディングＨ／Ｖのパラメータ設定画像の表示例を示す説明図である。
【図７６】Ｖモジュレーション・シェーディングのパラメータ設定画像の表示例を示す説明図である。
〔図７６Ａ〕  Ｖモジュレーション・シェーディングのパラメータ設定画像の表示例を示す説明図である。
〔図７６Ｂ〕  波形をも表示した、Ｖモジュレーション・シェーディングのパラメータ設定画像の表示例を示す説明図である。
【図７７】トランスミット及びマイク／ラインのパラメータ設定画像の表示例を示す説明図である。
〔図７７Ａ〕  トランスミットのパラメータ設定画像の表示例を示す説明図である。
〔図７７Ｂ〕  マイク／ラインのパラメータ設定画像の表示例を示す説明図である。
【図７８】マイク／ラインのパラメータ設定画像の表示例を示す説明図である。
【図７９】インカムのパラメータ設定画像の表示例を示す説明図である。
【図８０】トラッカー及びエクスターナル・コマンドのパラメータ設定画像の表示例を示す説明図である。
〔図８０Ａ〕  トラッカーのパラメータ設定画像の表示例を示す説明図である。
〔図８０Ｂ〕  エクスターナル・コマンドのパラメータ設定画像の表示例を示す説明図である。
【図８１】グラフをも表示した、ＮＴＳＣの場合のマトリクス（ミックス）のパラメータ設定画像の表示例を示す説明図である。
【図８２】グラフをも表示した、ＮＴＳＣの場合のマトリクス（ミックス）のパラメータ設定画像の表示例を示す説明図である。
【図８３】グラフをも表示した、ＰＡＬの場合のマトリクス（ミックス）のパラメータ設定画像の表示例を示す説明図である。
【図８４】グラフをも表示した、ＰＡＬの場合のマトリクス（ミックス）のパラメータ設定画像の表示例を示す説明図である。
【図８５】グラフをも表示した、ＰＡＬの場合のマトリクス（ミックス）のパラメータ設定画像の表示例を示す説明図である。
【図８６】メモリアクセス処理用の表示例を示す説明図である。
【図８７】ＬＳＩのポート設定用の表示例を示す説明図である。
【符号の説明】
１  制御装置
２  パラメータ設定画像表示部
３  位置認識部
４  入力値認識部
５  パラメータデータ生成部
６  表示部
７  パラメータ設定画像
７ａ  パラメータ設定による設定状態表示用画像群
７ｂ  パラメータ変更用スイッチ画像群
８  外部記憶装置
９  パラメータ設定画像データ
１０  データ入力部
１１  位置指定部
１２  プロトコル変換装置
１３  被制御装置
５０  ディスプレイ
５１  パラメータ設定画像
５２  モニタ画像
１００  コンピュータ
１０１  ＣＰＵ
１０２  バス
１０３  ＲＯＭ
１０４  ＲＡＭ
１０５  ＶＲＡＭ
１０６  入出力ポート
１０７  フロッピー・ディスク・ドライブ
１０８  フロッピー・ディスク・ドライブ・インターフェース回路
１０９  カードスロット
１１０  ＩＣカードインターフェース回路
１１１  ポインティング・デバイス・インターフェース回路
１１３  キーボード・インターフェース回路
１１５  画像表示用アクセラレータ
１１７  ビデオ・キャプチャ回路
１１９  インターフェース回路（ＲＳ−２３２Ｃ、ＲＳ−４２２）
１２１  ＳＣＳＩインターフェース回路
１２３  オーディオ入出力回路
１２４  スピーカ
１２６  基本入出力制御システム
１２７  ＩＣカードドライバ
１２８  アクセラレータドライバ
１２９  オペレーティングシステム
１３０  ビデオキャプチャドライバ
１３１  オーディオドライバ
１３２  指示解析手段
１３３  コマンド解析手段
１３４  表示制御手段
１３８  パラメータ制御手段
１３９  コマンド発行手段
１４０  ファイル管理手段
１４１  演算手段
２５０  キーボード
３００  ポインティングデバイス
３５０  ディスクドライブ
４００  データ変換器
４０１  ＣＰＵ
４０２  バス
４０３  ＲＯＭ
４０４  ＲＡＭ
４０５  入出力ポート
４０６、４０９、４１２  インターフェース回路
４０８、４１１、４１４  コネクタ
４１５  接続チェック手段
４１６  通信制御手段
４１７  プロトコルチェック手段
４１８  データ解析手段
４１９  コマンド変換手段
４２０  判断手段
５００  映像系
５０１  対物レンズ
５０２  ＮＤフィルタ
５０３  ＣＣフィルタ
５０４、５０５、５０８  ＣＣＤ
５０８、５０９、５１０  増幅回路
５１１、５１２、５１３  加算回路
５１４、５２４、５２８、５３２、５３６、５７８  Ｄ−Ａコンバータ
５１５、５１６、５１７  増幅回路
５１８、５１９、５２０  フィルタ
５２１、５２２、５２３  利得増幅回路
５２５、５２６、５２７  乗算回路
５２９、５３０、５３１  加算回路
５３３、５３４、５３５  ＰＫ
５３７、５３８、５３９、５５１  ディジタル・ローパス・フィルタ
５４０、５４１、５４２  Ａ−Ｄコンバータ
５４３  ＳＤ
５４４、５４５、５４６、５４７、５４８、５４９  遅延回路
５５０  輪郭補正信号生成回路
５５２  リニアマトリクス回路
５５３、５５４、５５５、５４５、５６６、５６７  加算回路
５５６、５５７、５５８  ＢＧ
５５９、５６０、５６１  ニー回路
５６２、５６３、５６４  利得増幅回路
５６８、５６９、５７０  クリップ回路
５７１、５７２、５７３  ディジタル・ローパス・フィルタ
５７４、５７５、５７６  ＲＣ
５７７  エンコーダ
５８０  コントローラ
６００  音声系
６０３、６０４、６０９、６１６、６２０、６３１、６３３、６３７、６３９、６４３、６４５  増幅回路
６０５、６１０、６１７、６２１  Ａ−Ｄコンバータ
６３０、６３６、６４３  Ｄ−Ａコンバータ
６１１、６１４、６１８、６２２、６２６、６２８  シリアル／パラレル変換回路
６２９、６３５、６４１、６２５、６２７  パラレル／シリアル変換回路
６１２  マトリクス回路
６０６  エンコーダ
６２４  デコーダ
７００  ＬＣＤ
７５０  操作キー群
８００  レンズ部
８５０  マイクロフォン
１０００  カメラ
１１００  システム制御器
制御器１２００−１、・・・・１２００−ｎ
【図１】
0003971465.tif 000003
【図２】
0003971465.tif 000004
【図３】
0003971465.tif 000005
【図４】
0003971465.tif 000006
【図５】
0003971465.tif 000007
【図６】
0003971465.tif 000008
【図７】
0003971465.tif 000009
【図８】
0003971465.tif 000010
【図９】
0003971465.tif 000011
【図１０】
0003971465.tif 000012
【図１１】
0003971465.tif 000013
【図１２】
0003971465.tif 000014
【図１３】
0003971465.tif 000015
【図１４】
0003971465.tif 000016
【図１５】
0003971465.tif 000017
【図１６】
0003971465.tif 000018
【図１７】
0003971465.tif 000019
【図１８】
0003971465.tif 000020
【図１９】
0003971465.tif 000021
【図２０】
0003971465.tif 000022
【図２１】
0003971465.tif 000023
【図２２】
0003971465.tif 000024
【図２３】
0003971465.tif 000025
【図２４】
0003971465.tif 000026
【図２５】
0003971465.tif 000027
【図２６】
0003971465.tif 000028
【図２７】
0003971465.tif 000029
【図２８】
0003971465.tif 000030
【図２９】
0003971465.tif 000031
【図３０】
0003971465.tif 000032
【図３１】
0003971465.tif 000033
【図３２】
0003971465.tif 000034
【図３３】
0003971465.tif 000035
【図３４】
0003971465.tif 000036
【図３５】
0003971465.tif 000037
【図３６】
0003971465.tif 000038
【図３７】
0003971465.tif 000039
【図３８】
0003971465.tif 000040
【図３９】
0003971465.tif 000041
【図４０】
0003971465.tif 000042
【図４１】
0003971465.tif 000043
【図４２】
0003971465.tif 000044
【図４３】
0003971465.tif 000045
【図４４】
0003971465.tif 000046
【図４５】
0003971465.tif 000047
【図４６】
0003971465.tif 000048
【図４７】
0003971465.tif 000049
【図４８】
0003971465.tif 000050
【図４９】
0003971465.tif 000051
【図５０】
0003971465.tif 000052
【図５１】
0003971465.tif 000053
【図５２】
0003971465.tif 000054
【図５３】
0003971465.tif 000055
【図５４】
0003971465.tif 000056
【図５５】
0003971465.tif 000057
【図５６】
0003971465.tif 000058
【図５７】
0003971465.tif 000059
【図５８】
0003971465.tif 000060
【図５９】
0003971465.tif 000061
【図６０】
0003971465.tif 000062
【図６１】
0003971465.tif 000063
【図６２】
0003971465.tif 000064
【図６３】
0003971465.tif 000065
【図６４】
0003971465.tif 000066
【図６５】
0003971465.tif 000067
【図６６】
0003971465.tif 000068
【図６７】
0003971465.tif 000069
【図６８】
0003971465.tif 000070
【図６９】
0003971465.tif 000071
【図７０】
0003971465.tif 000072
【図７１】
0003971465.tif 000073
【図７２】
0003971465.tif 000074
【図７３】
0003971465.tif 000075
【図７４】
0003971465.tif 000076
【図７５】
0003971465.tif 000077
【図７６】
0003971465.tif 000078
【図７７】
0003971465.tif 000079
【図７８】
0003971465.tif 000080
【図７９】
0003971465.tif 000081
【図８０】
0003971465.tif 000082
【図８１】
0003971465.tif 000083
【図８２】
0003971465.tif 000084
【図８３】
0003971465.tif 000085
【図８４】
0003971465.tif 000086
【図８５】
0003971465.tif 000087
【図８６】
0003971465.tif 000088
【図８７】
0003971465.tif 000089